(57)【要約】【課題】利便性が向上された照明制御装置を提供する。【解決手段】照明制御装置２０は、照明器具３０の点灯状態を制御する照明制御装置２０であって、照明器具２０の点灯状態を制御する制御情報を記憶する記憶部２５と、照明器具３０の点灯状態を遠隔操作する遠隔操作部に対する操作を検知する検知部２１と、検知部２１の検知結果、及び、制御情報に基づいて照明器具３０の点灯状態を制御する制御部２２と、を備える。そして、制御情報には、第１制御情報として、現在の点灯状態を示す第１シーン情報及び遷移先の点灯状態を示す第２シーン情報が含まれ、制御部２２は、検知部２１が遠隔操作部に対する操作を検知するたびに、照明器具３０の点灯状態を第１シーン情報が示す点灯状態から第２シーン情報が示す点灯状態に遷移させる。【選択図】図１
2018166095.tif 000002
【特許請求の範囲】
【請求項１】
照明器具の点灯状態を制御する照明制御装置であって、
前記照明器具の前記点灯状態を制御する制御情報を記憶する記憶部と、
前記照明器具の前記点灯状態を遠隔操作する遠隔操作部に対する操作を検知する検知部と、
前記検知部の検知結果、及び、前記制御情報に基づいて前記照明器具の前記点灯状態を制御する制御部と、を備え、
前記制御情報には、第１制御情報として、現在の点灯状態を示す第１シーン情報及び遷移先の点灯状態を示す第２シーン情報が含まれ、
前記制御部は、前記検知部が前記遠隔操作部に対する操作を検知するたびに、前記照明器具の点灯状態を前記第１シーン情報が示す点灯状態から前記第２シーン情報が示す点灯状態に遷移させる
照明制御装置。
【請求項２】
前記遠隔操作部は、造営材に固定されるスイッチであり、
前記検知部は、前記スイッチに対する操作を検知する
請求項１に記載の照明制御装置。
【請求項３】
前記制御情報には、第２制御情報として、シーン情報又は２以上のシーン情報が組み合わされたスライドショー情報の少なくとも一方と、前記シーン情報又は前記スライドショー情報が示す点灯状態の再現に関する時間情報とが対応付けられたスケジュール情報が含まれ、
前記スイッチは、異なる２つの点灯モードを有する点灯部を有し、
前記制御部は、前記照明器具を前記第１制御情報が示す点灯状態に制御しているときに、前記点灯部を前記異なる２つの点灯モードのうちの一方の点灯モードで点灯させ、前記照明器具を前記第２制御情報が示す点灯状態に制御しているときに、前記点灯部を前記異なる２つの点灯モードのうちの他方の点灯モードで点灯させる
請求項２に記載の照明制御装置。
【請求項４】
前記照明器具は複数あり、複数の前記照明器具は予め２以上のグループにグルーピングされており、
前記遠隔操作部は、前記スイッチごとに制御対象となるグループが割り当てられた第１スイッチ及び第２スイッチを含む複数のスイッチを有し、
前記制御部は、前記第１スイッチには、第１グループ及び前記第１シーン情報を含む複数のシーン情報が割り当てられ、前記第２スイッチには、前記第１グループと非排他的に照明器具が割り当てられた第２グループ及び前記第２シーン情報を含む複数のシーン情報が割り当てられている場合、前記第１グループに含まれる照明器具の点灯状態を前記第１スイッチに対応した前記第１シーン情報が示す点灯状態に制御しているときに前記検知部が前記第２スイッチに対する前記操作を検知したとき、前記第２グループに含まれる照明器具の点灯状態を前記第１シーン情報が示す点灯状態から前記第２スイッチに対応した前記第２シーン情報が示す点灯状態に遷移させ、かつ前記第１スイッチに対応するシーン情報を前記複数のシーン情報のうちの前記第１シーン情報に保持する
請求項２又は３に記載の照明制御装置。
【請求項５】
前記照明器具は複数あり、複数の前記照明器具は予め２以上のグループにグルーピングされており、
前記遠隔操作部は、前記スイッチごとに制御対象となるグループが割り当てられた第１スイッチ及び第２スイッチを含む複数のスイッチを有し、
前記制御部は、前記第１スイッチには、第１グループ、並びに、前記第１シーン情報及び初期状態を示す第３シーン情報を含む複数のシーン情報が割り当てられ、前記第２スイッチには、前記第１グループと非排他的に照明器具が割り当てられた第２グループ及び前記第２シーン情報を含む複数のシーン情報が割り当てられている場合、前記第１グループに含まれる照明器具の点灯状態を前記第１スイッチに対応した前記第１シーン情報が示す点灯状態に制御しているときに前記検知部が前記第２スイッチに対する前記操作を検知したとき、前記第２グループに含まれる照明器具の点灯状態を前記第１シーン情報が示す点灯状態から前記第２スイッチに対応した前記第２シーン情報が示す点灯状態に遷移させ、かつ前記第１スイッチに対応するシーン情報を前記第１シーン情報から前記第３シーン情報に更新する
請求項２又は３に記載の照明制御装置。
【請求項６】
前記照明制御装置は、前記制御情報を端末装置から受信して前記記憶部に記憶する
請求項１〜５のいずれか１項に記載の照明制御装置。
【請求項７】
前記照明制御装置は携帯端末であり、
前記照明制御装置は、さらに、前記遠隔操作部として前記照明器具を遠隔操作するための操作画像を表示する表示部を備え、
前記検知部は、前記操作として前記操作画像に対するユーザからの指示を取得する
請求項１に記載の照明制御装置。
【請求項８】
前記照明制御装置は、前記第１制御情報として、現在の点灯状態を示す前記第１シーン情報及び遷移先の点灯状態を示す前記第２シーン情報を含む複数のモードを有し、
前記複数のモードは、互いに点灯状態が異なるシーン情報を含み、
前記制御部は、前記ユーザにより前記複数のモードの中から選択された所定のモードに応じて、前記検知部が前記ユーザからの前記操作を取得するたびに、前記照明器具の点灯状態を前記第１シーン情報が示す点灯状態から前記第２シーン情報が示す点灯状態に遷移させる
請求項７に記載の照明制御装置。
【請求項９】
前記照明器具は複数あり、
前記表示部は、複数の前記照明器具の中から点灯状態を制御する対象である１以上の照明器具を選択する複数のタグを表示し、
前記制御部は、前記ユーザによる前記タグの選択を介して取得された前記１以上の照明器具の点灯状態を制御する
請求項７又は８に記載の照明制御装置。
【請求項１０】
前記タグには、複数の前記照明器具の中から個別に前記１以上の照明器具を選択させる第１タグと、予め記憶されている２以上の前記照明器具の集まりである複数のグループの中から前記１以上の照明器具を含むグループを選択させる第２タグと、複数の前記照明器具の中から任意に前記１以上の照明器具を含むグループを選択させる第３タグとが含まれる
請求項９に記載の照明制御装置。
【請求項１１】
照明器具と、
記憶部に記憶されている制御情報に基づいて前記照明器具の点灯状態を制御する請求項１〜１０のいずれか１項に記載の照明制御装置と、を備える
照明システム。
【請求項１２】
さらに、前記制御情報を前記照明制御装置に送信する端末装置を備える
請求項１１に記載の照明システム。
【発明の詳細な説明】
【技術分野】
【０００１】
本発明は、照明制御装置及び当該照明制御装置を備える照明システムに関する。
【背景技術】
【０００２】
従来から、時間の経過とともに照明器具のオン及びオフ又は明るさを変化させる機能であるスケジュール機能を有する制御装置が知られている（例えば、特許文献１）。特許文献１には、壁スイッチにより照明器具の調光レベルを遷移させることが開示されている。
【先行技術文献】
【特許文献】
【０００３】
【特許文献１】特開２０１４−０１７５４２号公報
【発明の概要】
【発明が解決しようとする課題】
【０００４】
ところで、上記のような照明制御装置において、利便性が向上されることが望まれる。
【０００５】
そこで、本発明は、利便性が向上した照明制御装置及び照明システムを提供することを目的とする。
【課題を解決するための手段】
【０００６】
上記目的を達成するため、本発明の一態様に係る照明制御装置は、照明器具の点灯状態を制御する照明制御装置であって、前記照明器具の前記点灯状態を制御する制御情報を記憶する記憶部と、前記照明器具の前記点灯状態を遠隔操作する遠隔操作部に対する操作を検知する検知部と、前記検知部の検知結果、及び、前記制御情報に基づいて前記照明器具の前記点灯状態を制御する制御部と、を備え、前記制御情報には、第１制御情報として、現在の点灯状態を示す第１シーン情報及び遷移先の点灯状態を示す第２シーン情報が含まれ、前記制御部は、前記検知部が前記遠隔操作部に対する操作を検知するたびに、前記照明器具の点灯状態を前記第１シーン情報が示す点灯状態から前記第２シーン情報が示す点灯状態に遷移させる。
【０００７】
上記目的を達成するため、本発明の一態様に係る照明システムは、照明器具と、記憶部に記憶されている制御情報に基づいて前記照明器具の点灯状態を制御する上記に記載の照明制御装置と、を備える。
【発明の効果】
【０００８】
本発明の一態様に係る照明制御装置及び照明システムによれば、利便性を向上させることができる。
【図面の簡単な説明】
【０００９】
【図１】実施の形態１に係る照明システムの機能構成を示すブロック図である。
【図２】実施の形態１に係る制御情報の一例を示す図である。
【図３】実施の形態１に係る制御情報を生成する手順を示すフローチャートである。
【図４】実施の形態１に係る照明制御装置の動作を示すフローチャートである。
【図５】実施の形態１に係る照明システムにおいて、スイッチの操作による照明器具の点灯状態の遷移を示す状態遷移図である。
【図６Ａ】実施の形態１に係る照明システムにおいて、スイッチに対応する点灯状態を保持する場合の動作を示すシーケンス図である。
【図６Ｂ】実施の形態１に係る照明システムにおいて、スイッチに対応する点灯状態をリセットする場合の動作を示すシーケンス図である。
【図７Ａ】実施の形態１に係る照明システムにおいて、スイッチに対応する点灯状態を保持する場合のスイッチの操作回数及び照明器具の点灯状態の一例を示す図である。
【図７Ｂ】実施の形態１に係る照明システムにおいて、スイッチに対応する点灯状態をリセットする場合のスイッチの操作回数及び照明器具の点灯状態の一例を示す図である。
【図８】実施の形態１に係る制御部が点灯部の点灯状態を制御する動作を示すフローチャートである。
【図９】実施の形態２に係る照明システムの機能構成を示すブロック図である。
【図１０】実施の形態２に係る照明制御装置の動作を示すフローチャートである。
【図１１】実施の形態２に係る照明制御装置の表示部に表示されている照明器具を遠隔操作するための操作画像の一例を示す図である。
【図１２Ａ】実施の形態２に係るタグ情報において、個別が選択された場合の照明器具の選択方法の一例を示す図である。
【図１２Ｂ】実施の形態２に係るタグ情報において、グループが選択された場合の照明器具の選択方法の一例を示す図である。
【図１２Ｃ】実施の形態２に係るタグ情報において、フリーが選択された場合の照明器具の選択方法の一例を示す図である。
【図１３】実施の形態２に係る照明制御装置が有するモードの一例を示す図である。
【図１４】実施の形態２に係る照明システムにおいて、表示部の操作による照明器具の点灯状態の遷移を示す状態遷移図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態１）
以下、本実施の形態について、図１〜図８を参照しながら説明する。
【００１３】
［１−１．照明システムの構成］
まず、本実施の形態に係る照明システムの構成について、図１を参照しながら説明する。
【００１４】
図１は、本実施の形態に係る照明システム１０の機能構成を示すブロック図である。
【００１５】
図１に示されるように、本実施の形態に係る照明システム１０は、照明制御装置２０と、複数の照明器具３０と、スイッチ部４０と、端末装置５０とを備える。当該照明システム１０では、スイッチ部４０は１以上のスイッチを有し、ユーザによりスイッチが操作されると、照明制御装置２０は複数の照明器具３０を当該スイッチに対応した点灯状態に制御する。具体的には、照明制御装置２０は、スイッチが操作されると、予め記憶部２５に記憶されている照明器具３０の点灯状態を制御する制御情報に基づいて、複数の照明器具３０を当該スイッチに対応した点灯状態に制御する。なお、照明システム１０が備える照明器具３０の数は特に限定されず、１台であってもよい。
【００１６】
照明システム１０は、時間の経過とともに複数の照明器具３０の調光及び調色を変化させるスケジュール機能を有する。以下、照明システム１０の各構成要素について説明する。
【００１７】
［１−１−１．照明制御装置］
照明制御装置２０は、照明器具３０に調光率及び色温度を送信することにより照明器具３０の点灯状態を制御する制御装置である。調光率及び色温度は、予め端末装置５０から送信され照明制御装置２０が記憶している情報である。つまり、照明制御装置２０は、端末装置５０から送信された情報に基づいて、照明システム１０が備える照明器具３０の点灯状態を制御する。例えば、照明器具３０を全灯状態にする調光率は１００％、照明器具３０を消灯状態にする調光率は０％である。
【００１８】
照明制御装置２０は、照明器具３０とは別体の装置であり、照明制御装置２０自体は、照明機能を有しない。照明制御装置２０は、検知部２１と、制御部２２と、タイマ部２３と、通信部２４と、記憶部２５と、送信部２６とを備える。
【００１９】
検知部２１は、スイッチ部４０が操作されたことを検知する検知装置である。本実施の形態では、スイッチ部４０は、４つのスイッチ（例えば、スイッチ４０ａ〜スイッチ４０ｄ）を有する。検知部２１は、４つのスイッチのうちのどのスイッチが操作（例えば、押下）されたかを検知する。例えば、スイッチが操作されて通電したことを検知することで、スイッチが操作されたと検知してもよい。そして、検知部２１は、検知結果を制御部２２に出力する。
【００２０】
制御部２２は、照明制御装置２０の各種制御を行う制御装置である。制御部２２は、検知部２１がスイッチ部４０（スイッチ４０ａ〜スイッチ４０ｄ）の操作を検知した場合、検知部２１が検知したスイッチ４０ａ〜スイッチ４０ｄに応じて照明器具３０の点灯状態を制御する。詳細は後述するが、スイッチ４０ａ〜スイッチ４０ｄのそれぞれには、照明器具の集まりであるグループに関する情報、当該グループに含まれる照明器具の点灯状態に関する情報（例えば、２以上のシーン情報）、及び、当該２以上のシーン情報の再現順序に関する情報が割り当てられている。言い換えると、スイッチ４０ａ〜スイッチ４０ｄそれぞれのグループに関する情報、点灯状態に関する情報、及び、再現順序に関する情報は、記憶部２５に記憶されている。なお、シーン情報とは、照明器具の調光率及び色温度を示す情報である。また、再現順序とは、２以上のシーン情報を再現する順番を示す情報である。
【００２１】
制御部２２は、検知部２１がスイッチ（例えば、スイッチ４０ａ）の操作を検知すると、記憶部２５から操作されたスイッチ４０ａに対応するグループに関する情報、２以上のシーン情報、及び、再現順序に関する情報を読み出し、グループに含まれる照明器具を読みだした２以上のシーン情報が示す調光率及び色温度に再現順序に関する示す情報に基づいて制御する。
【００２２】
なお、スイッチに対応するグループに関する情報、２以上のシーン情報、及び、再現順序に関する情報は、制御情報の一例である。具体的には、制御情報に含まれる第１制御情報の一例である。言い換えると、制御部２２は検知部２１の検知結果、及び、制御情報（具体的には第１制御情報）に基づいて照明器具３０の点灯状態を制御する。なお、第１制御情報は、予め記憶部２５に記憶されている。
【００２３】
なお、点灯状態に関する情報は、シーン情報に限定されない。例えば、点灯状態に関する情報は、２以上のシーン情報が組み合わされたスライドショー情報を含んでいてもよい。
【００２４】
ここで、照明制御装置２０に記憶されている制御情報について、図２を参照しながら説明する。なお、制御情報（具体的には、第１制御情報）は一例としてシーン情報から構成されている場合について示している。
【００２５】
図２は、本実施の形態に係る制御情報の一例を示す図である。図２には、スイッチ４０ａ〜４０ｄのそれぞれに対応する制御情報（第１制御情報の一例）の一例が示されている。図２の（ａ）は、スイッチ４０ａに対応する制御情報であり、図２の（ｂ）はスイッチ４０ｂに対応する制御情報であり、図２の（ｃ）はスイッチ４０ｃに対応する制御情報であり、図２の（ｄ）はスイッチ４０ｄに対応する制御情報である。
【００２６】
また、図２の（ａ）〜図２の（ｄ）では、再現順序０に対応する点灯情報として、スケジュール情報が示されている。スケジュール情報とは、シーン情報又はスライドショー情報の少なくとも一方と、シーン情報又はスライドショー情報の少なくとも一方が示す点灯状態の再現に関する時間情報（例えば、点灯状態の開始及び終了を示す時刻情報）とが対応付けられた情報であり、第２制御情報の一例である。なお、スケジュール情報は、１日ごとに設定されてもよく、例えば、曜日ごと、月ごと、季節ごと、年ごとなど、ユーザが任意に設定可能である。また、第２制御情報は、スイッチに対応するグループに関する情報及び再現順序に関する情報を含む。なお、第２制御情報は、予め記憶部２５に記憶されている。
【００２７】
図２の（ａ）に示すように、スイッチ４０ａに対応する制御情報として、グループに関する情報が「全体」（例えば、照明システム１０が備える全ての照明器具３０）であり、再現順序に関する情報が「０」であり、調光率及び色温度に関する情報がスケジュール情報である第２制御情報と、グループに関する情報が「全体」であり、再現順序に関する情報が「１〜３」であり、再現順序それぞれに対応する調光率及び色温度に関する情報がシーン情報（シーン１ａ〜３ａ）である第１制御情報とを含む。つまり、スイッチ４０ａに対応する制御情報は、第１制御情報と第２制御情報とから構成されている。
【００２８】
本実施の形態では、スイッチに対応する制御情報に、複数の点灯状態及び当該複数の点灯状態を再現する順序に関する情報である再現順序に関する情報が含まれることに特徴を有する。言い換えると、１つのスイッチに対して、複数の点灯状態が割り当てられている。これは、図２の（ｂ）〜図２の（ｄ）に示すように、スイッチ４０ｂ〜スイッチ４０ｄにおいても同様である。
【００２９】
なお、制御情報には、シーン情報又はスケジュール情報を再現する時間情報（例えば、シーン情報を再現する時刻情報又はシーン情報を再現する期間情報）は含まれない。
【００３０】
制御部２２は、上記に示したように複数の点灯状態及び当該複数の点灯状態を再現する順序に関する情報を含む制御情報に基づいて照明器具３０の点灯状態を制御する。具体的には、制御部２２は検知部２１がスイッチ部４０からの操作を検知するたびに、制御情報に基づいて照明器具３０が再現するシーン情報を切り替え、切り替えたシーン情報が示す点灯状態を照明器具３０に再現させる制御を行う。制御部２２は、例えば、送信部２６を介して照明器具３０に調光率及び色温度を含む制御信号を送信することで、照明器具３０を制御する。制御部２２は、例えば、検知部２１がユーザによるスイッチ部４０に対する操作を検知するたびに、当該操作を検知する前の調光率及び色温度とは異なる調光率及び色温度を含む制御信号を送信部２６を介して照明器具３０に送信する。なお、制御部２２の照明器具３０に対する制御の詳細は後述する。
【００３１】
さらに、制御部２２は、後述するスイッチ４０ａ〜スイッチ４０ｄのそれぞれが有する第１表示灯４１及び第２表示灯４２の点灯状態を照明器具３０の点灯状態に応じて制御する。なお、制御部２２の第１表示灯４１及び第２表示灯４２に対する制御の詳細は後述する。
【００３２】
また、制御部２２は、ユーザからスケジュール情報に基づく点灯の指示を取得すると、当該指示に応じたスケジュール情報に基づいて照明器具３０の調光率及び色温度を制御する。具体的には、制御部２２は、スケジュール情報に基づく点灯の指示を取得すると、記憶部２５に記憶されたスケジュール情報を読み出し、タイマ部２３によって通知される現在時刻に対応するシーン情報又はスライドショー情報が示す調光率及び色温度を特定し、特定した調光率及び色温度に照明器具３０の点灯状態を制御する。なお、照明制御装置２０は、スケジュール情報に基づく点灯の指示を例えば端末装置５０から取得する。言い換えると、照明制御装置２０は、スケジュール情報に基づく点灯をスイッチ部４０の操作により取得しない。
【００３３】
制御部２２は、具体的には、マイクロコンピュータであるが、プロセッサまたは専用回路などにより実現されてもよい。
【００３４】
タイマ部２３は、現在時刻を計測し、制御部２２に通知する。タイマ部２３は、具体的には、汎用のタイマＩＣ（タイマ回路）、または、リアルタイムクロックＩＣなどである。なお、タイマ部２３は、制御部２２に内蔵されていてもよい。この場合、タイマ部２３は、例えば、オンチップオシレータである。タイマ部２３がオンチップオシレータである場合には、水晶振動子がさらに外付けされることにより、現在時刻の計測精度を高めることができる。
【００３５】
通信部２４は、端末装置５０からスイッチ部４０に対応した照明器具３０の複数の点灯状態などを含む制御情報を受信する。また、通信部２４は、端末装置５０から、シーン情報、スライドショー情報及びスケジュール情報のそれぞれを受信する。なお、シーン情報、スライドショー情報及びスケジュール情報は、それぞれ制御情報の一例である。通信部２４は、具体的には、通信回路（通信モジュール）であり、端末装置５０が備える通信部から無線通信によって制御情報などを受信する。なお、通信部２４（照明制御装置２０）と端末装置５０との通信方法は特に限定されない。通信部２４と端末装置５０との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【００３６】
記憶部２５は、端末装置５０から送信され通信部２４を介して受信された制御情報などが記憶される記憶装置である。また、記憶部２５には、制御部２２が実行する制御プログラムも記憶される。
【００３７】
記憶部２５は、具体的には、半導体メモリなどの記憶装置である。記憶部２５への情報の記憶は、制御部２２によって行われる。なお、記憶部２５は、制御部２２に内蔵されてもよい。
【００３８】
送信部２６は、照明器具３０に調光率及び色温度を含む制御信号を送信する。つまり、送信部２６は、調光率及び色温度を送信する。送信部２６は、具体的には、通信回路（通信モジュール）であり、有線通信によって調光率及び色温度を送信する。有線通信とは、例えば、電力線搬送通信（ＰＬＣ：Ｐｏｗｅｒ  Ｌｉｎｅ  Ｃｏｍｍｕｎｉｃａｔｉｏｎ）または有線ＬＡＮ（Ｌｏｃａｌ  Ａｒｅａ  Ｎｅｔｗｏｒｋ）を用いた通信などである。
【００３９】
なお、照明制御装置２０は、電力系統（例えば、商用電源）から供給される交流電力を、照明制御装置２０の動作に適した直流電力に変換し供給する電源部（図示しない）を有してもよい。電源部は、具体的には、ＡＣ／ＤＣコンバータまたはＤＣ／ＤＣコンバータなどを含む電源回路である。
【００４０】
［１−１−２．照明器具］
次に、照明器具３０について説明する。なお、本実施の形態に係る照明システム１０は、照明器具３０ａ〜３０ｄの４台の照明器具を備える。照明器具３０ａ〜３０ｄはそれぞれ同一の構成であり、任意の１台を指す場合に照明器具３０とも記載する。
【００４１】
照明器具３０は、室内を照明するいわゆるシーリングライトであり、照明制御装置２０から受信した調光率及び色温度に応じた明るさ及び色で発光する。つまり、照明器具３０は、照明制御装置２０によって調光制御及び調色制御される。なお、照明器具３０は、シーリングライトに限定されず、ダウンライトなどであってもよい。また、本実施の形態では、照明システム１０は、複数の照明器具３０を備えるが、少なくとも１台の照明器具３０を備えていればよい。照明器具３０は、受信部３１と、発光制御部３２と、発光部３３とを備える。
【００４２】
受信部３１は、照明制御装置２０から調光率及び色温度を含む制御信号を受信する。つまり、受信部３１は、調光率及び色温度を受信する。受信部３１は、具体的には、通信回路（通信モジュール）であり、照明制御装置２０が備える送信部２６から有線通信によって調光率及び色温度を受信する。
【００４３】
発光制御部３２は、受信部３１によって受信された調光率及び色温度に応じた電圧及び電流を発光部３３に供給する。発光制御部３２は、具体的には、制御回路（例えば、ＰＷＭ（Ｐｕｌｓｅ  Ｗｉｄｔｈ  Ｍｏｄｕｌａｔｉｏｎ）回路など）を備え、調光及び調色を制御する。例えば、発光制御部３２は、発光部３３に供給する電圧及び電流を変化させることで調光率を制御する。また、発光制御部３２は、発光部３３が発光色の異なる発光素子を有している（例えば青色光を出射する発光素子と赤色光を出射する発光素子）場合、それぞれの発光素子へ供給する電圧及び電流の比率を変化させることで色温度を制御する。
【００４４】
発光制御部３２は、制御回路などを制御する、マイクロコンピュータ、プロセッサ、または、専用回路を備える。つまり、発光制御部３２の態様は特に限定されない。
【００４５】
発光部３３は、発光制御部３２から供給される電圧及び電流によって発光する発光モジュールである。発光部３３は、具体的には、ＬＥＤ（Ｌｉｇｈｔ  Ｅｍｉｔｔｉｎｇ  Ｄｉｏｄｅ）を発光素子として備える。例えば、発光部３３は、発光色の異なる複数のＬＥＤを備えていてもよい。また、発光部３３は、蛍光管、半導体レーザ等の半導体発光素子、または、有機ＥＬ（Ｅｌｅｃｔｒｏ  Ｌｕｍｉｎｅｓｃｅｎｃｅ）もしくは無機ＥＬ等の固体発光素子を備えてもよい。
【００４６】
なお、照明器具３０は、外部から供給される交流電力または直流電力を、照明器具３０の動作に適した直流電力に変換し供給する電源部（図示しない）を有してもよい。電源部は、具体的には、ＡＣ／ＤＣコンバータまたはＤＣ／ＤＣコンバータなどを含む電源回路である。
【００４７】
［１−１−３．スイッチ部］
スイッチ部４０は、照明制御装置２０と複数の照明器具３０との間であって、複数の照明器具３０と離間して配置され、複数の照明器具３０の点灯状態などを遠隔操作するためのスイッチである。スイッチ部４０は、造営材に固定されるスイッチであり、例えば、屋内の壁に配置された壁スイッチである。なお、スイッチ部４０は、照明器具３０の点灯状態などを遠隔操作する遠隔操作部の一例である。
【００４８】
スイッチ部４０は、ユーザからの照明器具３０に対する操作を受け付ける。本実施の形態では、スイッチ部４０はスイッチ４０ａ〜スイッチ４０ｄの４つのスイッチを有する。なお、スイッチ部４０が有するスイッチの数は４つに限定されず、１以上であればよい。
【００４９】
図２に示すように、スイッチ４０ａ〜スイッチ４０ｄには、それぞれ異なった制御情報が割り当てられている。具体的には、スイッチ４０ａ〜スイッチ４０ｄのそれぞれに対応するグループ、当該グループに含まれる照明器具の複数の点灯状態及び当該複数の点灯状態の順序などが割り当てられている。なお、スイッチ４０ａ〜４０ｄそれぞれの割り当ては、照明制御装置２０の記憶部２５に記憶されている。
【００５０】
なお、スイッチ部４０の操作には、端末装置５０による操作は含まれない。言い換えると、スイッチ部４０には、端末装置５０などの表示部に表示される操作画像（例えば、スイッチを示す画像）は含まれない。
【００５１】
また、図１に示すように、スイッチ４０ａ〜スイッチ４０ｄのそれぞれは、第１表示灯４１及び第２表示灯４２を有する。上記で説明したように、スイッチ４０ａ〜４０ｄのそれぞれには、シーン情報及びスケジュール情報が割り当てられている。第１表示灯４１及び第２表示灯４２は、照明器具３０の現在の点灯状態がシーン情報に基づく点灯状態であるか、スケジュール情報に基づく点灯状態であるかを表示する表示部である。具体的には、第１表示灯４１及び第２表示灯４２は、それぞれ異なる発光色を発光する発光装置である。例えば、シーン情報に基づいて照明器具３０が制御されているときは、第１表示灯４１が発光し、かつ第２表示灯４２が消灯する。また、例えば、スケジュール情報に基づいて照明器具３０が制御されているときは、第２表示灯４２が発光し、かつ第１表示灯４１が消灯する。これにより、ユーザは、スイッチ４０ａ〜スイッチ４０ｄのそれぞれが有する第１表示灯４１及び第２表示灯４２の点灯状態を確認するだけで、照明器具３０がシーン情報又はスケジュール情報のどちらに基づいて制御されているかを認識することができる。
【００５２】
なお、第１表示灯４１及び第２表示灯４２は、点灯部の一例である。また、点灯部は、異なる色を発光する２つの表示灯を有することに限定されない。例えば、点灯部は、異なる２つの発光色を発光する表示灯を１つ有し、制御部２２はシーン情報又はスケジュール情報のどちらで制御しているかに応じて表示灯が発光する色を変化させてもよい。また、点灯部の点灯状態は、例えば制御部２２により制御される。
【００５３】
［１−１−４．端末装置］
端末装置５０は、無線通信により照明制御装置２０に照明システム１０が備える複数の照明器具３０の点灯状態を制御する制御情報を送信する操作端末である。
【００５４】
図１に示すように、端末装置５０は、取得部５１、表示部５２、制御部５３、通信部５４及び記憶部５５を有する。
【００５５】
取得部５１は、ユーザからの照明器具３０の点灯状態に対する操作（指示）及び制御情報を生成する操作を受け付けるユーザインターフェースであり、例えばタッチパネルなどである。取得部５１がタッチパネルである場合、取得部５１と表示部５２（例えば、液晶ディスプレイ）とは接着される。
【００５６】
例えば、ユーザが表示部５２に表示された点灯状態の中から意図する点灯状態が表示されている位置をタッチすることで、取得部５１はユーザからの選択結果を取得する。なお、例えば、取得部５１はタッチパネルに限定されず、押しボタン又はキーボードなどでもよい。
【００５７】
表示部５２は、照明器具３０を制御するための情報又は制御情報を生成するための情報を表示する表示デバイスであり、例えば、液晶ディスプレイなどである。
【００５８】
制御部５３は、端末装置５０が有する各構成部を制御する制御装置である。例えば、制御部５３は、取得部５１を介して点灯状態に対する操作を受け付けた場合、点灯状態に対応した情報を生成し、当該情報を通信部５４を介して照明制御装置２０に送信する。また、取得部５１を介して制御情報の生成に対する操作を受け付けた場合、生成された制御情報を通信部５４を介して照明制御装置２０に送信する。
【００５９】
制御部５３は、記憶部５５に記憶された制御プログラムを実行するプロセッサであるが、マイクロコンピュータ、または専用回路などにより実現されてもよい。
【００６０】
通信部５４は、端末装置５０から照明制御装置２０に照明器具３０の点灯状態を制御する制御情報を送信する。通信部５４は、具体的には、通信回路（通信モジュール）であり、照明制御装置２０が備える通信部２４に無線通信によって制御情報を送信する。なお、通信部５４（端末装置５０）と通信部２４（照明制御装置２０）との通信方法は特に限定されない。通信部５４と通信部２４との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【００６１】
記憶部５５は、照明制御装置２０に送信した制御情報などが記憶される記憶装置である。また、記憶部５５には、制御部５３が実行する制御プログラムも記憶される。
【００６２】
記憶部５５は、具体的には、半導体メモリなどの記憶装置である。記憶部５５への情報の記憶は、制御部５３によって行われる。なお、記憶部５５は、制御部５３に内蔵されてもよい。
【００６３】
ユーザは、端末装置５０を用いて、シーン情報、スライドショー情報、スケジュール情報を含む制御情報を取得部５１を介して作成し、通信部５４を介して照明制御装置２０に送信することで、照明制御装置２０の記憶部２５にそれぞれの情報を記憶させる。また、ユーザは、端末装置５０を用いて、複数の照明器具３０を２以上のグループにグループ分けを行い（グルーピングし）、通信部５４を介して照明制御装置２０に送信することで、照明制御装置２０の記憶部２５にグループ分けした情報を記憶させる。グループとは、ユーザにより決定された１以上の照明器具の集合であり、グループ情報とはグループと当該グループに含まれる照明器具のそれぞれが有する固有の識別情報（例えば、デバイスＩＤ）などが紐付いた情報である。なお、グループ情報は、制御情報の一例である。また、例えば、端末装置５０は照明制御装置２０から照明システム１０が備える複数の照明器具３０それぞれの識別情報を取得し、取得した識別情報を用いてグループ分けを行う。
【００６４】
本実施の形態では、複数の照明器具３０をグループ１〜及びグループ２の２つのグループにグループ分けした例を示している。図１に示すように、照明器具３０ａ及び３０ｂはグループ１、照明器具３０ｃ及び３０ｄはグループ２にグループ分けされている。なお、１つのグループに含まれる照明器具の数は限定されず、１台以上であればよい。また、グループに含まれる照明器具の数は、グループごとで異なっていてもよい。
【００６５】
そして、ユーザは、照明システム１０が備えるスイッチ部４０と、当該スイッチ部４０に対応するグループ、当該グループに含まれる照明器具の複数の点灯状態及び当該複数の点灯状態を再現する順序を示す情報とを設定する。本実施の形態では、照明システム１０は４つのスイッチ４０ａ〜４０ｄを備える。ユーザは、４つのスイッチ４０ａ〜４０ｄのそれぞれに対して端末装置５０を用いて上記情報の設定を行う。これにより、スイッチ４０ａ〜４０ｄごとにグループ及び複数の点灯状態などを割り当てることができる。
【００６６】
なお、端末装置５０は、例えばタブレット端末であるが、これに限定されず、スマートフォンつまり高機能携帯電話端末、携帯電話端末、専用に開発されたコントローラ端末、又はＰＣ（Ｐｅｒｓｏｎａｌ  Ｃｏｍｐｕｔｅｒ）等により実現されてもよい。
【００６７】
なお、端末装置５０を用いて照明システム１０が備える照明器具３０の点灯状態を制御可能である。
【００６８】
［１−２．制御情報の生成］
続いて、照明制御装置２０の記憶部２５に記憶され、スイッチに対応したグループ、点灯状態に関する情報、及び、順序を示す情報を含む制御情報の生成について説明する。
【００６９】
制御情報は、ユーザにより端末装置５０を用いて生成される。ユーザにより制御情報が生成される手順について、図３を参照しながら説明する。
【００７０】
図３は、本実施の形態に係る制御情報を生成する手順を示すフローチャートである。なお、シーン情報、スケジュール情報及びグループに関する情報は、予め照明制御装置２０の記憶部２５に記憶されているものとする。また、端末装置５０は、照明制御装置２０から照明システム１０が備えるスイッチ部４０に関する情報（本実施の形態では、スイッチ４０ａ〜４０ｄに関する情報）を取得しているものとする。また、１つのスイッチには１つのグループが割り当てられる場合について説明する。
【００７１】
まず、ユーザは取得しているスイッチ部４０の情報の中から、制御情報を生成するスイッチを選択する（Ｓ１０）。本実施の形態では、スイッチ４０ａ〜スイッチ４０ｄの４つのスイッチの中から、制御情報を生成するスイッチを選択する。例えば、表示部５２にスイッチ４０ａ〜スイッチ４０ｄが表示され、ユーザは取得部５１を介してスイッチを選択する。例えば、スイッチ４０ａを選択したとする。以降においては、図２の（ａ）に示すスイッチ４０ａに対応する制御情報を生成する例について説明する。
【００７２】
次に、ユーザは、選択したスイッチ４０ａにより制御する（言い換えると、スイッチ４０ａに割り当てる）グループを選択する（Ｓ２０）。例えば、表示部５２に予め記憶されているグループ情報が表示され、ユーザは取得部５１を介して意図するグループを選択する。これにより、スイッチ４０ａとグループとが対応付けられる。例えば、ユーザは、全体（照明システム１０が備える全ての照明器具３０を含むグループ）を選択したとする。なお、予めグループが設定されていない又は新たにグループを設定したい場合には、ステップＳ２０で新たなグループを設定してもよい。
【００７３】
ステップＳ２０で所定のグループ（本実施の形態では、スイッチ４０ａに対応する全体）が設定されると、再現順序ごとにスイッチ４０ａに割り当てる点灯状態（シーン情報又はスケジュール情報が示す点灯状態）に関する情報を選択する（Ｓ３０）。例えば、予め記憶部２５に記憶されているシーン情報又はスケジュール情報から、再現順序ごとに点灯状態を選択する。なお、ユーザは、記憶されているシーン情報又はスケジュール情報とは異なる調光率又は色温度を設定してもよい。
【００７４】
例えば、再現順序０にはスケジュール情報が選択され、再現順序１にはシーン情報としてシーン１ａ（調光率１００％、色温度４０００Ｋ）が選択され、再現順序２にはシーン情報としてシーン２ａ（調光率５０％、色温度４０００Ｋ）が選択され、再現順序３にはシーン情報としてシーン３ａ（調光率０％：消灯）が選択されたとする。なお、以上のように４つのシーン情報又はスケジュール情報が選択されたため再現順序は「０〜３」となっているが、選択されるシーン情報又はスケジュール情報の数に応じて再現順序は変更される。例えば、図２の（ｂ）に示すように、５つのシーン情報又はスケジュール情報を設定する場合、再現順序は「０〜４」となる。これにより、１つのスイッチに複数の点灯状態を設定することができる。
【００７５】
そして、ユーザが意図する数の点灯情報の選択が完了した（言い換えると、ユーザが意図する点灯状態の数に応じた再現順序の全てに対して点灯状態の選択が完了した）場合（Ｓ４０でＹｅｓ）、照明システム１０が備える全てのスイッチ（スイッチ４０ａ〜４０ｄ）に対して制御情報の設定が終了したか否かの確認が行われる（Ｓ５０）。なお、ユーザが意図する数の点灯情報の選択が完了していない（言い換えると、ユーザが意図する点灯状態の数に応じた再現順序の全てに対して点灯状態の選択が完了していない）場合（Ｓ４０でＮｏ）、ステップＳ３０に戻り点灯情報が選択されていない再現順序に対して点灯情報が選択される。
【００７６】
照明システム１０が備える全てのスイッチに対して制御情報の設定が終了した場合（Ｓ５０でＹｅｓ）、生成された制御情報は通信部５４を介して照明制御装置２０に送信される（Ｓ６０）。例えば、取得部５１がユーザから送信の指示を受け付けることで、制御情報が送信される。なお、照明システム１０が備える全てのスイッチに対して制御情報の生成が完了していない場合（Ｓ５０でＮｏ）、ステップＳ１０に戻り、残りのスイッチに対してステップＳ１０〜ステップＳ４０が行われる。
【００７７】
［１−３．照明制御装置の動作］
続いて、照明システム１０における照明制御装置２０の動作について、図４〜図８を参照しながら説明する。
【００７８】
図４は、本実施の形態に係る照明制御装置２０の動作を示すフローチャートである。なお、以下の説明では、記憶部２５に予め制御情報が記憶されているものとする。
【００７９】
まず、照明制御装置２０は、ユーザによりスケジュール情報に基づく点灯指示を受け付ける（Ｓ１１０でＹｅｓ）と、照明システム１０に含まれる複数の照明器具３０の点灯状態を当該スケジュール情報に基づく点灯状態に制御する（Ｓ１２０）。具体的には、スケジュール情報に基づく点灯の指示を通信部２４を介して受け付けると、制御部２２は記憶部２５から当該スケジュール情報を読み出す。また、制御部２２はタイマ部２３から現在の時刻情報を取得する。そして、制御部２２は、複数の照明器具３０を取得した時刻情報に対応するスケジュール情報の点灯状態に制御する。制御部２２は、スケジュール情報が示す点灯状態に応じた制御信号を送信部２６を介して複数の照明器具３０のそれぞれに送信することで、複数の照明器具３０の点灯状態を制御する。
【００８０】
なお、スケジュール情報に基づく点灯指示とは、例えば、端末装置５０から受信した指示である。言い換えると、スイッチ部４０の操作による指示ではない。また、例えば、スケジュール情報に基づく点灯指示は、照明システム１０又は所定のグループに含まれる照明器具３０の電源をＯＮにする指示であってもよい。つまり、スケジュール情報とは、電源をＯＮしたときに照明器具３０が最初に点灯する点灯状態を示す情報であってもよい。これにより、電源ＯＮされ照明器具３０が最初に点灯する点灯状態を、電源ＯＮした時刻などに応じて、適宜決定することができる。
【００８１】
なお、スケジュール情報に基づく点灯の指示を受け付けていない場合（Ｓ１１０でＮｏ）、照明制御装置２０は照明器具３０の点灯状態の制御を行わない。例えば、照明器具３０が消灯している状態であれば、照明制御装置２０は照明器具３０が消灯している状態を維持する。また、例えば、照明器具３０が何らかの指示に基づいて点灯している状態であれば、照明制御装置２０は照明器具３０が点灯している状態を維持する。
【００８２】
スケジュール情報に基づいて点灯しているときに、検知部２１がスイッチ部４０の操作を検知した場合（Ｓ１３０でＹｅｓ）、制御部２２は当該スイッチ部４０における再現順序を更新する（Ｓ１４０）。そして、制御部２２はスイッチ部４０に対応する制御情報を記憶部２５から読み出し（Ｓ１５０）、読み出した制御情報に含まれる所定のグループの点灯状態を、制御情報に含まれる再現順序に対応したシーン情報又はスケジュール情報が示す点灯状態に制御する（Ｓ１６０）。そして、ステップＳ１３０に戻り、検知部２１がスイッチ部４０の操作を検知するたびに、ステップＳ１４０〜ステップＳ１６０が実行される。これにより、照明器具３０は操作されたスイッチに対応した制御情報に基づいて点灯状態が制御される。
【００８３】
なお、スケジュール情報に基づいて点灯しているときに、検知部２１がスイッチ部４０の操作を検知していない場合（Ｓ１３０でＮｏ）、検知部２１がスイッチ部４０の操作を検知するまで制御部２２はスケジュール情報に基づく制御を継続する。
【００８４】
ここで、スイッチ部４０が操作されるごとの照明器具３０の点灯状態について、図５を参照しながら説明する。
【００８５】
図５は、本実施の形態に係る照明システム１０において、スイッチ部４０の操作による照明器具３０の点灯状態の遷移を示す状態遷移図である。具体的には、スイッチ４０ａが操作されるごとにおけるスイッチ４０ａに対応するグループである照明器具３０全体の点灯状態の遷移を示す図である。
【００８６】
まず、照明システム１０の電源がＯＮされる（Ｓ２１０ａ）。これにより、照明システム１０が備える全ての照明器具３０が点灯する。具体的には、照明器具３０は、図２の（ａ）に示す再現順序０に対応した点灯状態であるスケジュール情報に基づく点灯状態で点灯する（Ｓ２２０ａ）。この場合、現在の点灯状態であるスケジュール情報は、第１シーン情報の一例である。なお、再現順序０に対応する点灯状態がスケジュール情報ではなく所定のシーン情報である場合、照明システム１０が電源ＯＮされると、照明器具３０は所定のシーン情報で点灯する。
【００８７】
次に、スイッチ４０ａが操作される（Ｓ２１０ｂ）と、照明器具３０は再現順序０の次の再現順序１に対応する点灯状態である調光率１００％、色温度４０００Ｋ（シーン１ａ）で点灯する（Ｓ２２０ｂ）。具体的には、照明器具３０の点灯状態は、スケジュール情報（第１シーン情報の一例）が示す点灯状態から遷移先であるシーン１ａ（第２シーン情報の一例）が示す点灯状態に遷移する。つまり、スイッチ４０ａが操作されると、照明器具３０はシーン１ａが示す点灯状態で点灯する。
【００８８】
さらに、スイッチ４０ａが操作される（Ｓ２１０ｃ）と、照明器具３０は再現順序１の次の再現順序２に対応する点灯状態である調光率５０％、色温度４０００Ｋ（シーン２ａ）で点灯する（Ｓ２２０ｃ）。具体的には、照明器具３０の点灯状態は、現在の点灯状態であるシーン１ａ（第１シーン情報の一例）が示す点灯状態から遷移先であるシーン２ａ（第２シーン情報の一例）が示す点灯状態に遷移する。つまり、スイッチ４０ａが操作されると、照明器具３０はシーン２ａが示す点灯状態で点灯する。
【００８９】
さらに、スイッチ４０ａが操作される（Ｓ２１０ｄ）と、照明器具３０は再現順序２の次の再現順序３に対応する点灯状態である調光率０％（シーン３ａ）で点灯する（Ｓ２２０ｄ）。具体的には、照明器具３０の点灯状態は、現在の点灯状態であるシーン２ａ（第１シーン情報の一例）が示す点灯状態から遷移先であるシーン３ａ（第２シーン情報の一例）が示す点灯状態に遷移する。つまり、スイッチ４０ａが操作されると、照明器具３０はシーン３ａが示す点灯状態で点灯する。なお、調光率０％とは、消灯を意味する。
【００９０】
さらに、スイッチ４０ａが操作される（Ｓ２１０ｅ）と、照明器具３０は再現順序３の次の再現順序０に戻り、再現順序０に対応する点灯状態であるスケジュール情報が示す点灯状態で点灯する（Ｓ２２０ａ）。具体的には、照明器具３０の点灯状態は、現在の点灯状態であるシーン３ａ（第１シーン情報の一例）が示す点灯状態から遷移先であるスケジュール情報（第２シーン情報の一例）が示す点灯状態に遷移する。つまり、スイッチ４０ａが操作されると、照明器具３０はスケジュール情報が示す点灯状態に戻る。
【００９１】
そして、以降、スイッチ４０ａが操作されるたびに、照明器具３０の点灯状態はステップＳ２２０ａ〜ステップＳ２２０ｄの順に遷移する。なお、図４で示した照明制御装置２０におけるステップＳ１３０〜ステップＳ１６０が繰り返し実行されることで、照明器具３０の点灯状態は、ステップＳ２２０ａ〜ステップＳ２２０ｄの順に遷移する。
【００９２】
なお、上記でも説明したように、図２の（ａ）が示す第１制御情報には、現在の点灯状態を示す第１シーン情報と、遷移先の点灯状態を示す第２シーン情報とが含まれる。
【００９３】
ここで、例えば、図２の（ｂ）及び図２の（ｃ）に示すように、異なるスイッチに同一のグループが設定されている場合の制御部２２の制御について、図６Ａ〜図７Ｂを参照しながら説明する。この場合、制御部２２が行うスイッチの再現順序の管理方法は２通りある。具体的には、一方のスイッチ（例えば、スイッチ４０ｂ）の操作により照明器具３０の点灯状態が制御されていた場合に、他方のスイッチ（例えば、スイッチ４０ｃ）が操作されたときに、一方のスイッチの再現順序を保持する又は保持しない、の２通りある。まずは、再現順序を保持する場合について、図６Ａ及び図７Ａを参照しながら説明する。
【００９４】
図６Ａは、本実施の形態に係る照明システム１０において、スイッチに対応する点灯状態を保持する場合の動作を示すシーケンス図である。図７Ａは、本実施の形態に係る照明システム１０において、スイッチに対応する点灯状態を保持する場合にスイッチが操作されるごとのスイッチの制御状態及び照明器具の点灯状態の一例を示す図である。なお、スイッチは、照明器具３０がスケジュール情報に基づいて点灯している（Ｓ３４０）ときに、スイッチ４０ｂ、スイッチ４０ｃ、スイッチ４０ｂの順にそれぞれ１回ずつ操作（押下）されたとする。また、スイッチ４０ｂは、第１スイッチの一例であり、スイッチ４０ｂに対応したグループであるグループ１は第１グループの一例である。また、スイッチ４０ｃは、第２スイッチの一例であり、スイッチ４０ｃに対応したグループであるグループ１は第２グループの一例である。また、図６Ａ〜図７Ｂの説明において、制御対象であるグループ１に含まれる照明器具３０を単に照明器具３０とも記載する。
【００９５】
まず、スイッチ４０ｂが１回操作される（Ｓ３１０ａ）と、検知部２１はスイッチ４０ｂの操作を検知し（Ｓ３２０ａ）、検知結果を制御部２２に出力する。制御部２２は、当該検知結果からスイッチ４０ｂの再現順序を０から１に更新し、スイッチ４０ｂに対応する制御情報を読み出し、読み出した制御情報の再現順序１に対応するシーン１ｂが示す点灯状態でスイッチ４０ｂに対応するグループ１に含まれる照明器具３０を制御する（Ｓ３３０ａ）。つまり、制御部２２は、スイッチ４０ｂに対応するグループ１に含まれる照明器具３０の点灯状態を現在の点灯状態であるスケジュール情報（第１シーン情報の一例）が示す点灯状態からスイッチ４０ｂに対応したシーン１ｂ（第２シーン情報の一例）が示す点灯状態に遷移させる。これにより、照明器具３０は、シーン１ｂが示す点灯状態で点灯する（Ｓ３４０ａ）。この場合、図７Ａに示すように、制御部２２により、スイッチ４０ｂには再現順序１に対応するシーン１ｂ、スイッチ４０ｃには再現順序０に対応するスケジュール情報が対応付けられている。また、スイッチ４０ｂが操作されたので、照明器具３０はシーン１ｂが示す点灯状態に制御される。
【００９６】
そして、図６Ａに示すように、シーン１ｂ（第１シーン情報の一例）で照明器具３０が制御されているときにスイッチ４０ｃが操作される（Ｓ３１０ｂ）と、検知部２１がスイッチ４０ｃの操作を検知（Ｓ３２０ｂ）し、検知結果を制御部２２に出力する。制御部２２は、当該検知結果にからスイッチ４０ｃの再現順序を０から１に更新し、スイッチ４０ｃに対応する制御情報を読み出し、読み出した制御情報の再現順序１に対応するシーン１ｃ（第２シーン情報の一例）が示す点灯状態で照明器具３０を制御する（Ｓ３３０ｂ）。つまり、制御部２２は、スイッチ４０ｃに対応するグループ１に含まれる照明器具３０の点灯状態をシーン１ｂが示す点灯状態からスイッチ４０ｃに対応したシーン１ｃ（第２シーン情報の一例）が示す点灯状態に遷移させる。これにより、照明器具３０は、シーン１ｃが示す点灯状態で点灯する（Ｓ３４０ｂ）。
【００９７】
このとき、制御部２２は、スイッチ４０ｂの再現順序を１のまま保持する。つまり、スイッチ４０ｂに対応するシーン情報をシーン１ｂに保持する。この場合、図７Ａに示すように、制御部２２により、スイッチ４０ｂには再現順序１に対応するシーン１ｂ、スイッチ４０ｃには再現順序１に対応するシーン１ｃが対応付けられている。また、スイッチ４０ｃが操作されたので、照明器具３０はシーン１ｃが示す点灯状態に制御される。
【００９８】
さらに、図６Ａに示すように、シーン１ｃ（第１シーン情報の一例）で照明器具３０が制御されているときにスイッチ４０ｂが操作される（Ｓ３１０ｃ）と、検知部２１がスイッチ４０ｂの操作を検知（Ｓ３２０ｃ）し、検知結果を制御部２２に出力する。制御部２２は、スイッチ４０ｂの再現順序を先ほど保持した再現順序１から２に更新し、スイッチ４０ｂに対応する制御情報を読み出し、読み出した制御情報の再現順序２に対応するシーン２ｂ（第２シーン情報の一例）が示す点灯状態で照明器具３０を制御する（Ｓ３３０ｃ）。つまり、制御部２２は、スイッチ４０ｂに対応するグループ１に含まれる照明器具３０の点灯状態をシーン１ｃが示す点灯状態からスイッチ４０ｂに対応したシーン２ｂ（第２シーン情報の一例）が示す点灯状態に遷移させる。これにより、照明器具３０は、シーン２ｂが示す点灯状態で点灯する（Ｓ３４０ｃ）。このとき、制御部２２はスイッチ４０ｃの再現順序を１のまま保持する。この場合、図７Ａに示すように、制御部２２により、スイッチ４０ｂには再現順序２に対応するシーン２ｂ、スイッチ４０ｃには再現順序１に対応するシーン１ｃが対応付けられている。また、スイッチ４０ｂが操作されたので、照明器具３０はシーン２ｂが示す点灯状態に制御される。
【００９９】
これにより、複数のスイッチに同一のグループが設定されていた場合であっても、スイッチのそれぞれにおいてはユーザが設定した再現順序通りに照明器具３０の点灯状態を制御できる。
【０１００】
続いて、再現順序を保持しない場合について、図６Ｂ及び図７Ｂを参照しながら説明する。
【０１０１】
図６Ｂは、本実施の形態に係る照明システム１０において、スイッチに対応する点灯状態を保持しない場合の動作を示すシーケンス図である。図７Ｂは、本実施の形態に係る照明システム１０において、スイッチに対応する点灯状態をリセットする（保持しない）場合にスイッチが操作されるごとのスイッチの制御状態及び照明器具の点灯状態の一例を示す図である。なお、スイッチはスイッチ４０ｂ、スイッチ４０ｃ、スイッチ４０ｂの順にそれぞれ１回操作されたとする。また、１回目のスイッチ４０ｂの操作を検知してから照明器具３０をシーン１ｂが示す点灯状態で点灯させるまで（Ｓ３４０〜Ｓ３４０ａ）は、再現順序を保持する場合と同様であり、説明を簡略化する。
【０１０２】
まず、スイッチ４０ｂが１回操作されると、制御部２２は、スイッチ４０ｂの再現順序を０から１に更新し、再現順序１に対応するシーン１ｂが示す点灯状態で照明器具３０を制御する（Ｓ３１０ａ〜Ｓ３３０ａ）。これにより、照明器具３０はシーン１ｂが示す点灯状態で点灯する（Ｓ３４０ａ）。そして、制御部２２は、スイッチ４０ｃの再現順序を０に更新する。言い換えると、制御部２２は、スイッチ４０ｃの再現順序を０（初期）にリセットする（Ｓ３５０ａ）。
【０１０３】
そして、図６Ｂに示すように、シーン１ｂ（第１シーン情報の一例）で照明器具３０が制御されているときにスイッチ４０ｃが操作される（Ｓ３１０ｂ）と、検知部２１がスイッチ４０ｃの操作を検知（Ｓ３２０ｂ）し、検知結果を制御部２２に出力する。制御部２２は、当該検知結果からスイッチ４０ｃの再現順序を０（初期）から１に更新し、スイッチ４０ｃに対応する制御情報を読み出し、読み出した制御情報の再現順序１に対応するシーン１ｃ（第２シーン情報の一例）が示す点灯状態で照明器具３０を制御する（Ｓ３３０ｂ）。つまり、制御部２２は、スイッチ４０ｃに対応するグループ１に含まれる照明器具３０の点灯状態を現在の点灯状態であるシーン１ｂ（第１シーン情報の一例）が示す点灯状態からスイッチ４０ｃに対応したシーン１ｃ（第２シーン情報の一例）が示す点灯状態に遷移させる。これにより、照明器具３０はシーン１ｃが示す点灯状態で点灯する（Ｓ３４０ｂ）。このとき、制御部２２はスイッチ４０ｂの再現順序を１から０（初期）にリセットする（Ｓ３５０ｂ）。つまり、制御部２２は、スイッチ４０ｂに対応するシーン情報をシーン１ｂからスケジュール情報（第３のシーン情報の一例）に更新する。この場合、図７Ｂに示すように、制御部２２により、スイッチ４０ｂには再現順序０に対応するスケジュール情報、スイッチ４０ｃには再現順序１に対応するシーン１ｃが対応付けられている。また、スイッチ４０ｃが操作されたので、照明器具３０はシーン１ｃが示す点灯状態に制御される。
【０１０４】
さらに、図６Ｂに示すように、シーン１ｃで照明器具３０が制御されているときにスイッチ４０ｃが操作される（Ｓ３１０ｂ）と、検知部２１がスイッチ４０ｂの操作を検知（Ｓ３２０ｃ）し、検知結果を制御部２２に出力する。制御部２２は、スイッチ４０ｂの再現順序を先ほどリセットした再現順序０から１に更新し、スイッチ４０ｂに対応する制御情報を読み出し、読み出した制御情報の再現順序１に対応するシーン１ｂが示す点灯状態で照明器具３０を制御する（Ｓ３３０ｄ）。これにより、照明器具３０はシーン１ｂが示す点灯状態で点灯する（Ｓ３４０ｄ）。このとき、制御部２２はスイッチ４０ｃの再現順序を１から０（初期）にリセットする（Ｓ３５０ｃ）。この場合、図７Ｂに示すように、制御部２２により、スイッチ４０ｂには再現順序１に対応するシーン１ｂ、スイッチ４０ｃには再現順序０に対応するスケジュール情報が対応付けられている。また、スイッチ４０ｂが操作されたので、照明器具３０はシーン１ｂが示す点灯状態に制御される。
【０１０５】
これにより、複数のスイッチに同一のグループが設定されていた場合であっても、操作するスイッチを切り替えるごとに再現順序がリセットされるので、ユーザは操作するスイッチを切り替えた場合、当該スイッチに対応する制御情報が示す点灯状態を再現順序１から順に再現することができる。
【０１０６】
なお、図６Ａ〜図７Ｂを用いて、複数のスイッチに同一のグループが設定されている場合の再現順序の管理方法について説明したが、同一のグループが設定されている場合に限定されない。例えば、図２の（ａ）及び図２の（ｂ）に示すように、複数のスイッチにおいて、スイッチに割り当てられたグループに含まれる照明器具３０が排他的ではない場合（言い換えると、非排他的である場合）に、図６Ａ〜図７Ｂで説明したような再現順序の管理方法が適用されてもよい。非排他的とは、２つのスイッチに割り当てられたそれぞれのグループにおいて、少なくとも１台の照明器具３０が両方のグループに含まれていることを意味する。なお、複数のスイッチに割り当てられているグループが排他的である場合、例えばスイッチの再現順序は保持される。言い換えると、複数のスイッチに割り当てられているグループが排他的である場合、スイッチは他のスイッチが操作されたことの影響を受けない。
【０１０７】
また、上記でも説明したように、スイッチ部４０は、点灯部を有する。本実施の形態では、異なる色を発する第１表示灯４１及び第２表示灯４２を、スイッチ４０ａ〜スイッチ４０ｄのそれぞれが有する。例えば、第１表示灯４１及び第２表示灯４２が発する光の色は、一例として、第１表示灯４１が緑色、第２表示灯４２が赤色であるが、これに限定されない。また、第１表示灯４１及び第２表示灯４２それぞれの点灯状態（例えば、点灯又は消灯）は、例えば、制御部２２により制御される。制御部２２が第１表示灯４１及び第２表示灯４２に行う制御について、図８を参照しながら説明する。
【０１０８】
図８は、本実施の形態に係る制御部２２が第１表示灯４１及び第２表示灯４２の点灯状態を制御する動作を示すフローチャートである。
【０１０９】
第１表示灯４１及び第２表示灯４２は、現在の照明器具３０の点灯状態が、シーン情報（第１制御情報の一例）に基づいて制御されているか、スケジュール情報（第２制御情報の一例）に基づいて制御されているかをユーザに表示する表示部である。そのため、制御部２２は、スイッチごとに、当該スイッチに対応するグループに含まれる照明器具３０の現在の点灯状態がシーン情報に基づいて制御されているか否かを判定する（Ｓ４１０）。例えば、制御部２２は、スイッチの現在の再現順序を確認することで、シーン情報に基づいて照明器具３０を制御しているか否かを判定してもよい。
【０１１０】
制御部２２は、現在の照明器具３０の点灯状態をシーン情報に基づいて制御している場合（Ｓ４１０でＹｅｓ）、第１表示灯４１を点灯させる（Ｓ４２０）。これにより、所定のグループに含まれる照明器具３０がシーン情報に基づいて制御されている場合、当該グループと対応付けられているスイッチの表示灯は緑色に光るので、ユーザはスイッチを見るだけで当該スイッチに対応付けられた所定のグループがシーン情報が示す点灯状態で制御されていることがわかる。なお、シーン情報に基づいて制御されているときに第１表示灯４１が点灯することは、一方の点灯モードの一例である。
【０１１１】
また、制御部２２は、現在の照明器具３０の点灯状態をスケジュール情報に基づいて制御している場合（Ｓ４１０でＮｏ）、第２表示灯４２を点灯させる（Ｓ４３０）。これにより、所定のグループに含まれる照明器具３０がスケジュール情報に基づいて制御されている場合、当該グループと対応付けられているスイッチの表示灯は赤色に光るので、ユーザはスイッチを見るだけで当該スイッチに対応付けられた所定のグループがスケジュール情報が示す点灯状態で制御されていることがわかる。なお、スケジュール情報に基づいて制御されているときに第２表示灯４２が点灯することは、他方の点灯モードの一例である。
【０１１２】
そして、制御部２２は、全てのスイッチに対してステップＳ４２０又はステップＳ４３０が実行された場合（Ｓ４４０でＹｅｓ）、第１表示灯４１及び第２表示灯４２に対する制御を終了し、全てのスイッチに対してステップＳ４２０又はステップＳ４３０が実行されていない場合（Ｓ４４０でＮｏ）、ステップＳ４１０に戻り処理を継続する。
【０１１３】
これにより、ユーザは、スイッチの第１表示灯４１又は第２表示灯４２が発光している光の色を見るだけで、スイッチのそれぞれがシーン情報又はスケジュール情報のどちらが示す点灯状態で制御されているかを確認することができる。なお、ステップＳ４１０〜ステップＳ４４０は、例えば、図４に示すステップＳ１６０が実行されるたびに行われる。
【０１１４】
なお、点灯部の点灯モードとして発光色が異なる（例えば、緑色と赤色）例について説明したが、これに限定されない。例えば、点灯モードは、点灯部の点灯又は消灯であってもよいし、点灯部の点灯又は点滅などであってもよい。点灯部は、ユーザが視覚的に違いがわかる２つの点灯状態を有していればよい。また、点灯部は第１表示灯４１及び第２表示灯４２の２つの表示灯を有する例について説明したが、これに限定されない。点灯部はユーザが視覚的に違いがわかる２つの点灯モードを有していれば、１つの表示灯から構成されてもよい。例えば、スイッチのそれぞれは点灯部として１つの表示灯を有し、制御部２２は、シーン情報が示す点灯状態で制御しているときは表示灯を点滅させ、スケジュール情報で制御しているときは表示灯を点灯又は消灯させてもよい。
【０１１５】
［１−４．効果など］
以上説明したように、照明制御装置２０は、照明器具３０の点灯状態を制御する照明制御装置２０であって、照明器具３０の点灯状態を制御する制御情報を記憶する記憶部２５と、照明器具３０の点灯状態を遠隔操作するスイッチ部４０（遠隔操作部の一例）に対する操作を検知する検知部２１と、検知部２１の検知結果、及び、制御情報に基づいて照明器具３０の点灯状態を制御する制御部２２と、を備える。制御情報には、第１制御情報として、現在の点灯状態を示す第１シーン情報及び遷移先の点灯状態を示す第２シーン情報が含まれ、制御部２２は、検知部２１がスイッチ部４０に対する操作を検知するたびに、照明器具３０の点灯状態を第１シーン情報が示す点灯状態から第２シーン情報が示す点灯状態に遷移させる。
【０１１６】
これにより、スイッチ部４０が操作されるたびに、照明器具３０の点灯状態を第１制御情報に含まれる第１シーン情報が示す点灯状態から第２シーン情報が示す点灯状態に遷移させることができる。言い換えると、照明制御装置２０は、１つのスイッチに複数のシーン情報を割り当てることができる。１つのスイッチに１つのシーン情報のみが割り当てられる場合、シーンの数だけスイッチが必要となる。ユーザは、複数のスイッチの中からユーザが意図する点灯状態が割り当てられたスイッチを探し操作する必要があり、手間であった。一方、本実施の形態に係る照明制御装置２０は１つのスイッチに複数のシーンを割り当てることができるので、スイッチの数を削減することができる。また、１つのスイッチを操作するだけでシーンを遷移させることができるので、ユーザが意図する点灯状態を容易に再現することができる。よって、照明制御装置２０によれば、利便性を向上させることができる。
【０１１７】
また、スイッチ部４０（遠隔操作部の一例）は、壁（造営材の一例）に固定されるスイッチ４０ａ〜４０ｄであり、検知部２１は、スイッチ４０ａ〜４０ｄに対する操作を検知する。
【０１１８】
これにより、造営材に固定されているスイッチ４０ａ〜４０ｄのそれぞれに複数のシーンを割り当てることができるので、壁などに固定されるスイッチの数を低減することができる。
【０１１９】
また、制御情報には、第２制御情報として、シーン情報又は２以上のシーン情報が組み合わされたスライドショー情報の少なくとも一方と、シーン情報又はスライドショー情報が示す点灯状態の再現に関する時間情報とが対応付けられたスケジュール情報が含まれる。スイッチ４０ａ〜４０ｄは、異なる発光色を発する第１表示灯４１及び第２表示灯４２（異なる２つの点灯モードを有する点灯部の一例）を有し、制御部２２は、照明器具３０を第１制御情報が示す点灯状態に制御しているときに、第１表示灯４１を点灯させ（点灯部を異なる２つの点灯モードのうちの一方の点灯モードで点灯させる一例）、照明器具３０を第２制御情報が示す点灯状態に制御しているときに、第２表示灯４２を点灯させる（点灯部を異なる２つの点灯モードのうちの他方の点灯モードで点灯させる一例）。
【０１２０】
これにより、ユーザは第１表示灯４１及び第２表示灯４２を見るだけで、現在の照明器具３０がシーン情報に基づいて制御されているか、スケジュール情報に基づいて制御されているかを認識することができる。つまり、照明器具３０の点灯状態を現在の点灯状態から変更させる場合、ユーザは現在の点灯状態がシーン情報又はスケジュール情報であるかがわかるので、点灯状態の変更を容易に行うことができる。
【０１２１】
また、照明器具３０は複数あり、複数の照明器具３０は予め２以上のグループにグルーピングされており、スイッチ部４０は、スイッチごとに制御対象となるグループが割り当てられたスイッチ４０ｂ（第１スイッチの一例）及びスイッチ４０ｃ（第２スイッチの一例）を含む複数のスイッチ４０ａ〜４０ｄを有する。制御部２２は、スイッチ４０ｂには、グループ１（第１グループの一例）及びシーン１ｂ（第１シーン情報の一例）を含む複数のシーン情報が割り当てられ、スイッチ４０ｄには、グループ１と非排他的に照明器具３０が割り当てられたグループ１（第２グループの一例）及びシーン１ｃ（第２シーン情報の一例）を含む複数のシーン情報が割り当てられている場合、スイッチ４０ｂに対応するグループ１に含まれる照明器具３０の点灯状態をスイッチ４０ｂに対応したシーン１ｂが示す点灯状態に制御しているときに検知部２１がスイッチ４０ｃに対する操作を検知したとき、スイッチ４０ｃに対応するグループ１に含まれる照明器具３０の点灯状態をシーン１ｂが示す点灯状態からスイッチ４０ｃに対応したシーン１ｃが示す点灯状態に遷移させ、かつスイッチ４０ｂに対応するシーン情報を複数のシーン情報のうちのシーン１ｂに保持する。
【０１２２】
これにより、複数のスイッチに照明器具３０を非排他的に含むグループが設定されていた場合であっても、操作するスイッチ４０ａ〜４０ｄを切り替えても切り替える前のスイッチに対応する点灯状態は保持される（言い換えると、再現順序が保持される）。よって、ユーザは操作するスイッチ４０ａ〜４０ｄを切り替えても、当該スイッチに対応する制御情報が示す点灯状態をユーザが設定した再現順序通りに制御できる。
【０１２３】
また、照明器具３０は複数あり、複数の照明器具３０は予め２以上のグループにグルーピングされており、スイッチ部４０は、スイッチごとに制御対象となるグループが割り当てられたスイッチ４０ｂ（第１スイッチの一例）及びスイッチ４０ｃ（第２スイッチの一例）を含む複数のスイッチ４０ａ〜４０ｄを有する。制御部２２は、スイッチ４０ｂには、グループ１（第１グループの一例）、並びに、シーン１ｂ（第１シーン情報の一例）及び初期状態を示すスケジュール情報（第３シーン情報の一例）を含む複数のシーン情報が割り当てられ、スイッチ４０ｃには、グループ１と非排他的に照明器具３０が割り当てられたグループ１（第２グループの一例）及びシーン１ｃ（第２シーン情報の一例）を含む複数のシーン情報が割り当てられている場合、スイッチ４０ｂに対応したグループ１に含まれる照明器具３０の点灯状態をスイッチ４０ｂに対応したシーン１ｂが示す点灯状態に制御しているときに検知部２１がスイッチ４０ｃに対する操作を検知したとき、スイッチ４０ｃに対応したグループ１に含まれる照明器具３０の点灯状態をシーン１ｂが示す点灯状態からスイッチ４０ｃに対応したシーン１ｃが示す点灯状態に遷移させ、かつスイッチ４０ｂに対応するシーン情報をシーン１ｂからスケジュール情報に更新する。
【０１２４】
これにより、複数のスイッチに照明器具３０を非排他的に含むグループが設定されていた場合であっても、操作するスイッチ４０ａ〜４０ｄを切り替えるごとに初期状態の点灯状態に更新される（言い換えると、再現順序が０に更新される）。よって、ユーザは操作するスイッチ４０ａ〜４０ｄを切り替えた場合、当該スイッチに対応する制御情報が示す点灯状態を再現順序１から順に再現することができる。
【０１２５】
また、照明制御装置２０は、制御情報を端末装置５０から受信して記憶部２５に記憶する。
【０１２６】
これにより、照明制御装置２０は、端末装置５０から受信して記憶部２５に記憶されている制御情報に基づいて、照明器具３０の点灯状態を制御することができる。また、制御情報を変更する場合、端末装置５０から変更された制御情報を受信することで照明制御装置２０が有する制御情報を更新できる。これにより、照明制御装置２０は制御情報が入力されるための表示部及び取得部などを備えていなくてもよいので、照明制御装置２０の構成を簡素化及び小型化できる。
【０１２７】
また、以上説明したように、照明システム１０は、照明器具３０と、記憶部２５に記憶されている制御情報に基づいて照明器具３０の点灯状態を制御する照明制御装置２０と、制御情報を照明制御装置２０に送信する端末装置５０を備える。
【０１２８】
これにより、照明制御装置２０は端末装置５０から送信された制御情報に基づいて、スイッチ４０ａ〜スイッチ４０ｄが操作されるたびに制御情報に基づいて点灯状態を遷移させることができる。照明制御装置２０は１つのスイッチに複数のシーン情報を割り当てることができるので、スイッチの数を削減することができる。また、１つのスイッチを操作するだけで点灯状態を遷移させることができるので、ユーザが意図する点灯状態を容易に再現することができる。よって、照明システム１０によれば、利便性を向上させることができる。
【０１２９】
（実施の形態２）
以下、本実施の形態について、図９〜図１４を参照しながら説明する。なお、実施の形態１との相違点を中心に説明し、実施の形態１と実質的に同一の構成に対しては同一の符号を付し、説明を省略又は簡略化する場合がある。
【０１３０】
［２−１．照明システムの構成］
まず、本実施の形態に係る照明システムの構成について、図９を参照しながら説明する。
【０１３１】
図９は、本実施の形態に係る照明システム１１０の機能構成を示すブロック図である。
【０１３２】
図９に示されるように、本実施の形態に係る照明システム１１０は、照明制御装置１２０と、複数の照明器具１３０とを備える。当該照明システム１１０では、照明制御装置１２０が遠隔操作部として表示部１２７を備える。表示部１２７がユーザにより操作されると、検知部２１は当該操作を検知し、照明制御装置１２０は複数の照明器具１３０を検知結果に応じた点灯状態に制御する。具体的には、照明制御装置１２０は、表示部１２７が操作されると、予め記憶部２５に記憶されている照明器具１３０の点灯状態を制御する制御情報に基づいて、複数の照明器具１３０を当該操作に対応した点灯状態に制御する。なお、照明システム１１０が備える照明器具１３０の数は特に限定されず、１台であってもよい。
【０１３３】
照明システム１１０は、時間の経過とともに複数の照明器具１３０の調光及び調色を変化させるスケジュール機能を有する。以下、照明システム１１０の各構成要素について説明する。
【０１３４】
［２−１−１．照明制御装置］
照明制御装置１２０は、照明器具１３０に調光率及び色温度を送信することにより照明器具１３０の点灯状態を制御する制御装置である。調光率及び色温度は、ユーザから表示部１２７を介して取得され、記憶部２５が記憶している情報である。
【０１３５】
図９に示すように、照明制御装置１２０は、照明器具１３０とは別体の装置であり、照明制御装置１２０自体は、照明機能を有しない。本実施の形態では、照明制御装置１２０は、携帯端末であり、具体的には、タブレット端末である。なお、照明制御装置１２０はタブレット端末に限定されず、スマートフォンつまり高機能携帯電話端末、携帯電話端末、専用に開発されたコントローラ端末など、持ち運びが可能な携帯端末であればよい。
【０１３６】
照明制御装置１２０は、検知部１２１と、制御部１２２と、タイマ部２３と、記憶部２５と、送信部１２６と、表示部１２７とを備える。なお、タイマ部２３と、記憶部２５は、実質的に実施の形態１に係る照明制御装置２０が備える各構成要素と同一の構成であるので説明を省略する。
【０１３７】
検知部１２１は、ユーザからの照明器具１３０の点灯状態に対する操作（指示）及び制御情報を生成する操作を受け付けるユーザインターフェースであり、例えばタッチパネルなどである。検知部１２１は、表示部１２７に表示されている操作画像に対するユーザからの指示（操作）を取得する。検知部１２１がタッチパネルである場合、検知部１２１と表示部１２７（例えば、ＬＣＤ（Ｌｉｑｕｉｄ  Ｃｒｙｓｔａｌ  Ｄｉｓｐｌａｙ））とは一体として構成される。
【０１３８】
検知部１２１は、ユーザが表示部１２７に表示された点灯状態の中から意図する点灯状態が表示されている位置をタッチすることで、ユーザからの選択結果を取得する。なお、例えば、取得部５１はタッチパネルに限定されず、押しボタンなどでもよい。
【０１３９】
なお、本実施の形態に係る照明システム１１０では、実施の形態１とは異なり壁などに固定されるスイッチを備えていない。そのため、検知部１２１は、照明制御装置１２０以外の機器からの照明器具１３０に対する操作を検知する機能を有していなくてもよい。
【０１４０】
制御部１２２は、照明制御装置１２０の各種制御を行う制御装置である。制御部１２２は実施の形態１に係る制御部２２に加え、さらに表示部１２７を制御する。例えば、制御部１２２は、表示部１２７に制御する照明器具１３０の選択方法を選択させるための複数のタグを表示させ、ユーザによるタグの選択を介して取得された制御対象となる照明器具１３０の点灯状態を制御する。
【０１４１】
制御部１２２は、記憶部２５に記憶された制御プログラムを実行するプロセッサであるが、マイクロコンピュータ、または専用回路などにより実現されてもよい。
【０１４２】
送信部１２６は、照明制御装置１２０から照明器具１３０に照明器具１３０の点灯状態を制御する制御信号を送信する。送信部１２６は、具体的には、通信回路（通信モジュール）であり、照明器具１３０が備える受信部１３１に無線通信によって制御信号を送信する。なお、送信部１２６（照明制御装置１２０）と受信部１３１（照明器具１３０）との通信方法は特に限定されない。送信部１２６と受信部１３１との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【０１４３】
表示部１２７は、照明器具１３０を遠隔操作するための操作画像を表示する表示装置である。表示部１２７は、制御部１２２の制御に基づいて照明器具１３０を制御するための情報又は制御情報を生成するための情報を表示する表示デバイスであり、例えば、ＬＣＤ又は有機ＥＬ（Ｅｌｅｃｔｒｏ  Ｌｕｍｉｎｅｓｃｅｎｃｅ）パネルなどにより形成された表示パネルと、その駆動回路などからなる。表示部１２７は、ユーザの制御情報の入力などを補助するために必要な文字、数値、又は記号を表示してもよい。また、表示部１２７は、静止画又は動画などの画像を表示してもよい。なお、表示部１２７は、照明器具１３０の点灯状態を遠隔操作する遠隔操作部の一例である。
【０１４４】
［２−１−２．照明器具］
次に、照明器具１３０について説明する。なお、照明システム１１０が備える複数の照明器具１３０は同一の構成であり、任意の照明器具１３０について説明する。照明器具１３０は、受信部１３１と、発光制御部３２と、発光部３３とを備える。なお、発光制御部３２及び発光部３３は、実質的に実施の形態１に係る照明器具３０が備える各構成要素と同一の構成であり説明を省略する。
【０１４５】
受信部１３１は、照明制御装置１２０から照明器具１３０の点灯状態などを含む制御信号を受信する。受信部１３１は、具体的には、通信回路（通信モジュール）であり、照明制御装置１２０が備える送信部１２６から無線通信によって制御信号などを受信する。なお、受信部１３１（照明器具１３０）と送信部１２６（照明制御装置１２０）との通信方法は特に限定されない。受信部１３１と送信部１２６との間においては、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信が行われてもよい。
【０１４６】
［２−２．照明制御装置の動作］
続いて、照明システム１１０における照明制御装置１２０の動作について、図１０〜図１４を参照しながら説明する。具体的には、ユーザが照明制御装置１２０を用いて照明器具１３０を操作する流れについて説明する。
【０１４７】
図１０は、本実施の形態に係る照明制御装置１２０の動作を示すフローチャートである。図１１は、本実施の形態に係る照明制御装置１２０の表示部１２７に表示されている照明器具１３０を遠隔操作するための操作画像Ｇの一例を示す図である。
【０１４８】
図１１に示すように、操作画像Ｇには、照明システム１１０が備える複数の照明器具１３０を示す照明器具情報Ｃ１と、複数の照明器具１３０の中から点灯状態を制御する対象である１以上の照明器具１３０を選択する複数のタグを含むタグ情報Ｃ２と、予め記憶された照明器具１３０の点灯状態を示す２以上のシーン情報及び当該２以上のシーン情報のそれぞれを再現する順序を示す順序情報を含む複数のモードを示すモード情報Ｃ３とが表示されている。
【０１４９】
照明器具情報Ｃ１が示す照明器具１３０それぞれの位置は、天井などに配置されている照明器具１３０の位置と略一致するように示される。照明器具情報Ｃ１は、予めユーザにより記憶される情報である。
【０１５０】
なお、操作画像Ｇには、照明器具情報Ｃ１、タグ情報Ｃ２及びモード情報Ｃ３以外の情報が表示されていてもよい。以下では、表示部１２７に図１１に示す操作画像Ｇが表示されているものとして説明する。また、図示していないが、表示部１２７のユーザ側には表示部１２７と一体として構成される検知部１２１（例えば、タッチパネル）が配置されている。
【０１５１】
図１０に示すように、まず、ユーザにより、複数の照明器具１３０の中から点灯状態を制御対象となる照明器具１３０を選択する選択方法が決定される。具体的には、検知部１２１は、表示部１２７に表示されているタグ情報Ｃ２の中からユーザによるタグの選択を取得する（Ｓ５１０）。図１１に示すように、タグ情報Ｃ２には、「個別」（第１タグの一例）、「グループ」（第２タグの一例）及び「フリー」（第３タグの一例）の３つのタグが表示されており、ユーザにより３つのタグからユーザが意図するタグが選択される。そして、選択したタグに応じた照明器具１３０の選択方法に基づいて、制御する照明器具１３０又は照明器具１３０の集まりであるグループを選択する（Ｓ５２０）。
【０１５２】
ここで、タグ情報Ｃ２が示す３つのタグそれぞれにおける制御対象となる照明器具１３０の選択方法について、図１２Ａ〜図１２Ｂを参照しながら説明する。まずは、タグ情報Ｃ２が含む個別について、図１２Ａを参照しながら説明する。
【０１５３】
図１２Ａは、本実施の形態に係るタグ情報Ｃ２において、「個別」が選択された場合の照明器具１３０の選択方法の一例を示す図である。「個別」では、ユーザにより、照明器具情報Ｃ１が示す複数の照明器具１３０の中から制御対象となる照明器具１３０が個々に選択される。例えば、ユーザが照明器具情報Ｃ１に表示されている複数の照明器具１３０の中から制御する照明器具１３０を個々にタップすることで、当該タップを検知部１２１が検知し、制御対象となる照明器具１３０が選択される。図１２Ａでは、タップにより選択された３台の照明器具１３０が破線Ｌ１に囲まれて表示されている例を示している。なお、選択される照明器具１３０は、１台であってもよいし、複数であってもよい。
【０１５４】
照明器具情報Ｃ１に示される複数の照明器具１３０の位置は、天井に取り付けられている照明器具１３０の位置と略一致するように表示されているので、ユーザは照明器具情報Ｃ１から制御する照明器具１３０を容易に選択することができる。なお、タップとは、ユーザが表示部１２７（遠隔操作部の一例）に対して行う操作の一例である。
【０１５５】
次に、タグ情報Ｃ２が含む「グループ」について、図１２Ｂを参照しながら説明する。
【０１５６】
図１２Ｂは、本実施の形態に係るタグ情報Ｃ２において、「グループ」が選択された場合の照明器具１３０の選択方法の一例を示す図である。「グループ」では、予めユーザにより検知部１２１を介して記憶された照明器具１３０の集まりである複数のグループの中から、ユーザにより制御対象となるグループが選択される。ユーザによりタグ情報Ｃ２において「グループ」を選択されると、予め記憶されているグループに関する情報が表示部１２７に表示される。例えば、予め記憶されたグループに関する情報として、グループに含まれる複数の照明器具１３０を囲む破線がグループごとに表示される。ユーザが破線で囲まれた内側をタップする（例えば、破線内の任意の照明器具１３０をタップする）ことで、制御対象となるグループが選択される。図１２Ｂでは、破線Ｌ２、Ｌ３及びＬ４で囲まれる３つのグループが表示されており、ユーザにより破線Ｌ２で囲まれるグループが選択された例を示している。これにより、ユーザは、複数の照明器具１３０を１回の操作で選択することができる。なお、選択されるグループは複数であってもよい。また、複数の照明器具１３０のそれぞれは、排他的にグループ分けされている。言い換えると、照明器具１３０のそれぞれは、１つのグループのみに含まれる。
【０１５７】
次に、タグ情報Ｃ２が含む「フリー」について、図１２Ｃを参照しながら説明する。
【０１５８】
図１２Ｃは、本実施の形態に係るタグ情報Ｃ２において、「フリー」が選択された場合の照明器具の選択方法の一例を示す図である。「フリー」では、ユーザにより照明器具情報Ｃ１が示す複数の照明器具１３０の画像の中から任意に照明器具１３０が選択される。具体的には、照明器具情報Ｃ１が示す画像内をユーザがドラッグ（図１２Ｃ中の矢印参照）することで、当該ドラッグを検知部１２１が検知し、制御対象となる照明器具１３０が選択される。例えば、ドラッグの始点と終点とで規定される破線Ｌ５に含まれる照明器具１３０が制御対象の照明器具１３０として選択される。これにより、ユーザは、ドラッグするといった簡単な操作で、制御する複数の照明器具１３０を１つのグループとして任意に選択することができる。なお、ドラッグとは、ユーザが表示部１２７（遠隔操作部の一例）に対して行う操作の一例である。
【０１５９】
なお、図１２Ａ〜図１２Ｃでは、選択された制御対象である照明器具１３０（１以上の照明器具１３０の一例）が破線で覆われて表示される例について説明したが、これに限定されない。選択された照明器具１３０をユーザが認識できる表示であればよく、選択された照明器具１３０の照明器具自体の表示方法（例えば、選択された照明器具１３０の画像の色を変える又は点滅させるなど）を変更してもよい。
【０１６０】
ステップＳ５１０及びステップＳ５２０により、照明制御装置１２０が制御する照明器具１３０の選択が終了する。以降では、選択された照明器具１３０を制御する点灯状態の選択について説明する。
【０１６１】
続いて、図１０に示すように、検知部１２１は、予め記憶された照明器具１３０の点灯状態を示す２以上のシーン情報及び当該２以上のシーン情報のそれぞれを再現する順序を示す順序情報を含む複数のモードの中からユーザによる所定のモードの選択を取得する（Ｓ５３０）。本実施の形態では、モード情報Ｃ３が示すように、予めスポットモード及び５段階調光モードの２つのモードが記憶されている。例えば、ユーザによりモード情報Ｃ３が示す複数のモードから所定のモードをタップされ、検知部１２１が当該タップを検知することで、モードが選択されてもよい。
【０１６２】
ここで、記憶部２５に記憶されているモードについて、図１３を参照しながら説明する。
【０１６３】
図１３は、本実施の形態に係る照明制御装置１２０が有するモードの一例を示す図である。具体的には、図１３の（ａ）は、スポットモードに対応する制御情報の一例で有り、図１３の（ｂ）は、５段階調光モードに対応する制御情報の一例である。図１３の（ａ）及び図１３の（ｂ）に示すように、モードに対応する制御情報には、再現順序に関する情報及びシーン情報（例えば、調光率及び色温度）が含まれる。
【０１６４】
図１３の（ａ）に示すように、スポットモードでは、２つのシーン情報が含まれる。具体的には、スポットモードには、調光率５０％であり色温度が４０００Ｋであるシーン情報１１ａと、調光率が１００％であり色温度が２７００Ｋであるシーン情報１２ａが含まれる。また、シーン情報１１ａに対応する再現順序は０であり、シーン情報１２ａに対応する再現順序は１である。なお、再現順序０（初期）とは、例えば、ユーザがステップＳ５３０でモードを選択した時点、又はモードを切り替えた時点の再現順序である。つまり、ユーザがモードを選択した時点、又はモードを切り替えた時点で、照明器具１３０は再現順序０に対応するシーン情報（例えば、シーン情報１１ａ）が示す点灯状態に制御される。
【０１６５】
また、図１３の（ｂ）に示すように、５段階調光モードでは、５つのシーン情報が含まれる。具体的には、５段階調光モードには、色温度が同一であり、調光率が異なる５つのシーン情報が含まれる。また、図１３の（ａ）と同様、シーン情報のそれぞれには再現順序に関する情報が対応付けられている。
【０１６６】
なお、スポットモードに含まれるシーン情報と５段階調光モードに含まれるシーン情報とは、異なる点灯状態を示すシーン情報である例について説明したが、これに限定されない。スポットモードに含まれるシーン情報と５段階調光モードに含まれるシーン情報とは、一部が同じ点灯状態を示すシーン情報であってもよい。例えば、スポットモードは、５段階調光モードに含まれているシーン１１ｂを含んでいてもよい。つまり、複数のモードは、相互に点灯状態が異なるシーン情報を含んでいればよい。
【０１６７】
また、モードには、シーン情報を再現する時間情報（例えば、シーンを再現する時刻情報又はシーン情報を再現する期間情報）は含まれない。
【０１６８】
ステップＳ５３０では、選択された照明器具１３０を制御する制御情報が選択される。なお、照明器具１３０の点灯状態を示す２以上のシーン情報及び当該２以上のシーン情報のそれぞれを再現する順序を示す順序情報を含むモードは、第１制御情報の一例である。また、以降では、ユーザの操作によりシーン情報が切り替わる説明を行うが、ステップＳ５１０及びステップＳ５２０において、図１２Ｂの破線Ｌ２が示すグループ（以降、グループＬとも記載する）が選択され、ステップＳ５３０において５段階調光モードが選択されたものとして説明する。
【０１６９】
ステップＳ５３０で５段階調光モードが選択されると、制御部１２２はグループＬに含まれる照明器具１３０（以降、単にグループＬとも記載する）を再現順序０に対応したシーン情報が示す点灯状態に制御する。具体的には、制御部１２２は、グループＬを調光率１００％、色温度４０００Ｋ（シーン１１ｂ）に制御する。制御部１２２がグループＬを再現順序０が示すシーン情報で制御しているときに検知部１２１がユーザからの操作（例えば、タップ）を検知する（ステップＳ５４０でＹｅｓ）と、制御部１２２は、再現順序を更新する（Ｓ５５０）。具体的には、再現順序を０から１に更新する。そして、制御部１２２は、グループＬを再現順序１に対応した調光率８０％、色温度４０００Ｋ（シーン１２ｂ）が示す点灯状態に制御する（Ｓ５６０）。言い換えると、制御部１２２は、グループＬをシーン１１ｂ（第１シーン情報の一例）で制御しているときに検知部１２１がユーザからの操作を検知すると、グループＬの点灯状態をシーン１１ｂが示す点灯状態からシーン１２ｂ（第２シーン情報の一例）が示す点灯状態に遷移させる。
【０１７０】
そして、ステップＳ５４０に戻り、検知部１２１が表示部１２７に対する操作を検知するたびに、ステップＳ５４０〜ステップＳ５６０が実行される。これにより、照明器具１３０は操作されるたびに制御情報に基づいて点灯状態が制御される。言い換えると、検知部１２１がユーザからの操作を検知（取得）するたびに、ユーザが選択したモード（例えば、５段階調光モード）に応じてグループＬに含まれる照明器具１３０の点灯状態を現在の点灯状態（例えば、シーン１１ｂ）から遷移先の点灯状態（例えばシーン１２ｂ）に遷移させる。
【０１７１】
ここで、表示部１２７が操作されるたびの照明器具１３０の点灯状態について、図１４を参照しながら説明する。
【０１７２】
図１４は、本実施の形態に係る照明システム１１０において、表示部１２７の操作による照明器具１３０の点灯状態の遷移を示す状態遷移図である。具体的には、表示部１２７に表示された操作画像が操作されるたびの照明器具１３０の点灯状態の遷移を示す図である。なお、図１２Ｂの破線Ｌ２が示すグループ（以降、グループＬとも記載する）が選択され、ステップＳ５３０において５段階調光モードが選択されたものとして説明する。
【０１７３】
まず、照明システム１１０に含まれるグループＬにおいて、５段階調光モードが選択される（Ｓ６１０ａ）ことにより、グループＬに含まれる照明器具１３０が再現順序０に対応した点灯状態で点灯する。具体的には、照明器具１３０は、図１３の（ｂ）に示す再現順序０に対応した点灯状態である調光率１００％、色温度４０００Ｋ（シーン１１ｂ）で点灯する（Ｓ６２０ａ）。なお、再現順序０に対応する点灯状態はスケジュール情報であってもよい。
【０１７４】
次に、表示部１２７が操作（例えば、タップ）される（Ｓ６１０ｂ）と、照明器具１３０は再現順序０の次の再現順序１に対応する点灯状態である調光率８０％、色温度４０００Ｋ（シーン１２ｂ）で点灯する（Ｓ６２０ｂ）。具体的には、照明器具１３０の点灯状態は、現在の点灯状態であるシーン１１ｂ（第１シーン情報の一例）が示す点灯状態から遷移先の点灯状態であるシーン１２ｂ（第２シーン情報の一例）が示す点灯状態に遷移する。つまり、表示部１２７が操作されると、照明器具１３０はシーン１２ｂが示す点灯状態で点灯する。
【０１７５】
さらに、表示部１２７が操作される（Ｓ６１０ｃ）と、照明器具１３０は再現順序１の次の再現順序２に対応する点灯状態である調光率６０％、色温度４０００Ｋ（シーン１３ｂ）で点灯する（Ｓ６２０ｃ）。具体的には、照明器具１３０の点灯状態は、現在の点灯状態であるシーン１２ｂ（第１シーン情報の一例）が示す点灯状態から遷移先であるシーン１３ｂ（第２シーン情報の一例）が示す点灯状態に遷移する。つまり、表示部１２７が操作されると、照明器具１３０はシーン１３ｂが示す点灯状態で点灯する。
【０１７６】
同様に、表示部１２７が操作されるごと（例えば、Ｓ６１０ｄ及びＳ６１０ｅ）に、照明器具１３０の点灯状態は遷移する（例えば、Ｓ６２０ｄ及びＳ６２０ｅ）。そして、シーン１５ｂ（第１シーン情報の一例）で点灯しているときに表示部１２７が操作される（Ｓ６１０ｆ）と、照明器具１３０は再現順序４の次の再現順序０に戻り、再現順序０に対応する点灯状態であるシーン１１ｂ（第２シーン情報の一例）が示す点灯状態に遷移する（Ｓ６２０ａ）。つまり、表示部１２７が操作されると、照明器具１３０はシーン１１ｂが示す点灯状態に戻る。以降、表示部１２７が操作されるたびに、照明器具１３０の点灯状態はステップＳ６２０ａ〜ステップＳ６２０ｅの順に遷移しながら点灯する。なお、図１０で示した照明制御装置１２０におけるステップＳ５４０〜ステップＳ５６０が繰り返し実行されることで、照明器具１３０の点灯状態は、ステップＳ６２０ａ〜ステップＳ６２０ｅの順に遷移する。
【０１７７】
上記のように、制御部１２２は、ユーザにより複数のモードの中から選択された所定のモード（例えば、５段階調光モード）に応じて、検知部１２１がユーザからの表示部１２７に対する操作を取得するたびに、照明器具１３０を現在の点灯状態(第１シーン情報が示す点灯状態)から遷移先の点灯状態（第２シーン情報が示す点灯状態）に遷移させる。
【０１７８】
なお、上記でも説明したように、図１３の（ｂ）が示すモード（第１制御情報の一例）には、現在の点灯状態を示す第１シーン情報と、遷移先の点灯状態を示す第２シーン情報とが含まれる。
【０１７９】
これにより、１つのモードを選択して表示部１２７をタップするだけで、選択された照明器具１３０に複数の点灯状態を再現させることができる。もし、１つのシーンに１つの点灯状態のみが割り当てられている場合であれば、様々なシーンを想定して沢山のシーン情報を作成する必要がある。その場合、シーンを変更する場合、沢山あるシーン情報の中からユーザが意図するシーン情報を選択して変更する必要があり手間がかかる。また、制御する照明器具又はグループを選択した後に、制御する点灯状態を示す調光率及び色温度を都度設定する方法もあるが、調光率及び色温度を都度設定するので手間がかかる。よって、本実施の形態に係る照明制御装置１２０及び当該照明制御装置１２０を備える照明システム１１０であれば、利便性を向上させることができる。
【０１８０】
なお、ユーザからの操作とは、例えば、表示部１２７の所定の領域をタップする操作などである。例えば、ステップＳ５２０で選択したグループＬを示す破線Ｌ２の内側の領域をタップしてもよいし、タップを受け付けるための所定の表示を表示部１２７（操作画像Ｇ）に表示させ、当該表示をタップしてもよい。
【０１８１】
なお、図１０を用いて、制御する照明器具１３０を選択してから（Ｓ５１０及びＳ５２０）、照明器具１３０を制御する点灯状態を含むモードを選択する（Ｓ５３０）例について説明したが、これに限定されず、モードを選択してから当該モードで制御する照明器具１３０を選択してもよい。また、モードは１つ以上記憶されていればよい。
【０１８２】
［２−３．効果など］
以上説明したように、照明制御装置１２０は携帯端末であり、照明制御装置１２０は、さらに、遠隔操作部として照明器具１３０を遠隔操作するための操作画像を表示する表示部１２７（遠隔操作部の一例）を備える。そして、検知部１２１は、表示部１２７に対する操作として操作画像に対するユーザからの指示を取得する。
【０１８３】
これにより、携帯端末を用いて照明器具１３０の点灯状態を制御する場合であっても、表示部１２７に対するユーザの指示を取得するたびに第１制御情報に基づいて照明器具１３０の点灯状態を制御することができる。具体的には、検知部１２１がタップなどの操作を検知するたびに、現在の点灯状態から遷移先の点灯状態に照明器具１３０の点灯状態を遷移させることができる。例えば、表示部１２７に１つの点灯状態のみが割り当てられたシーン情報を複数表示させ、ユーザが複数のシーン情報の中から１つのシーンを選択して照明器具の点灯状態を制御する場合、複数のシーン情報の中から意図するシーン情報を探し出し選択する必要がある。一方、本実施の形態に係る照明制御装置１２０では、モードを選択し、タップするだけで照明器具１３０の点灯状態を遷移させることができる。よって、照明制御装置１２０によれば、利便性を向上させることができる。
【０１８４】
また、照明制御装置１２０は、第１制御情報として、現在の点灯状態を示す第１シーン情報及び遷移先の点灯状態を示す第２シーン情報を含む複数のモードを有し、複数のモードは、互いに点灯状態が異なるシーン情報を含む。制御部１２２は、ユーザにより複数のモードの中から選択された所定のモード（例えば、５段階調光モード）に応じて、検知部１２１がユーザからの操作を取得するたびに、照明器具１３０の点灯状態を第１シーン情報が示す点灯状態から第２シーン情報が示す点灯状態に遷移させる。
【０１８５】
これにより、ユーザは複数のモードの中から意図するモードを選択しタップなどの簡単な操作を行うだけで、当該モードに含まれる複数のシーン情報が示す点灯状態を遷移させることができる。
【０１８６】
また、照明器具１３０は複数あり、表示部１２７は、複数の照明器具１３０の中から点灯状態を制御する対象である１以上の照明器具１３０を選択する複数のタグを表示し、制御部１２２は、ユーザによるタグの選択を介して取得された１以上の照明器具１３０の点灯状態を制御する。
【０１８７】
これにより、ユーザはタグを介して制御する照明器具１３０を選択できるので、制御対象の照明器具１３０を容易に選択することができる。
【０１８８】
また、タグには、複数の照明器具１３０の中から個別に１以上の照明器具１３０を選択させるタグである個別（第１タグの一例）と、予め記憶されている２以上の照明器具１３０の集まりである複数のグループの中から１以上の照明器具１３０を含むグループを選択させるタグであるグループ（第２タグの一例）と、複数の照明器具１３０の中から任意に１以上の照明器具１３０を含むグループを選択させるタグであるフリー（第３タグの一例）とが含まれる。
【０１８９】
これにより、ユーザは、複数のタグの中からユーザが制御する照明器具１３０に応じてタグを選択し照明器具１３０を選択できるので、制御対象の照明器具１３０をより容易に選択することができる。
【０１９０】
また、以上説明したように、照明システム１１０は、照明器具１３０と、記憶部２５に記憶されている制御情報に基づいて照明器具１３０の点灯状態を制御する照明制御装置１２０とを備える。
【０１９１】
これにより、記憶部２５に記憶されている制御情報に基づいて、表示部１２７が操作されるたびに照明器具１３０の点灯状態を遷移させることができる。よって、照明システム１１０によれば、利便性を向上させることができる。
【０１９２】
（その他の実施の形態）
以上、実施の形態に係る照明制御装置、及び、当該照明制御装置を備える照明システムについて説明したが、本発明は、上記実施の形態に限定されるものではない。
【０１９３】
例えば、上記実施の形態では、照明制御装置は、照明器具とは別体の装置として実現されたが、照明制御装置は、照明器具に内蔵されていてもよい。つまり、照明器具の一部として実現されてもよい。
【０１９４】
また、上記実施の形態では、照明システムが備える複数の照明器具は同一の構成である例について説明したが、これに限定されない。照明システムが備える複数の照明器具の構成は、異なっていてもよい。例えば、実施の形態１で説明した複数の照明器具は無線通信部を有していない例を示したが、実施の形態１で説明した複数の照明器具のうちの一部又は全ての照明器具は無線通信部を有していてもよい。
【０１９５】
また、上記実施の形態では、４つのスイッチのそれぞれに対して、複数の点灯状態及び点灯状態を再現する順序に関する情報が割り当てられている例について説明したが、これに限定されない。例えば、照明システムが複数のスイッチを有するスイッチ部を備える場合、少なくとも１つのスイッチに複数の点灯状態及び点灯状態を再現する順序に関する情報が割り当てられていればよい。
【０１９６】
また、上記実施の形態では、制御情報は第１制御情報及び第２制御情報を含む例について説明したが、これに限定されない。例えば、制御情報に第２制御情報は含まれていなくてもよい。言い換えると、制御情報は、第１制御情報のみから構成されていてもよい。つまり、制御情報にスケジュール情報は含まれていなくてもよい。
【０１９７】
また、上記実施の形態では、遠隔操作部が操作されるたびに、すぐに遷移先のシーン情報（第２シーン情報）が示す点灯状態に遷移する例について説明したが、これに限定されない。例えば、遠隔操作部が操作されると、現在のシーン情報（第１シーン情報）が示す点灯状態から遷移先のシーン情報が示す点灯状態に向けて時間とともに段階的にシーン情報が切り替えられてもよい。つまり、フェード時間が設定されてもよい。
【０１９８】
また、上記実施の形態では、シーン情報に調光率及び色温度が含まれる例について説明したが、シーン情報には調光率及び色温度の少なくとも一方が含まれていればよい。
【０１９９】
また、上記実施の形態１では、照明制御装置と端末装置との間の通信は、無線通信である例について説明したが、これに限定されない。例えば、無線通信に代えて、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信など、有線通信が行われてもよい。
【０２００】
また、上記実施の形態では、照明システムは、時間の経過とともに複数の照明器具の調光及び調色を変化させるスケジュール機能を有する例について説明したが、これに限定されない。照明システムは、スケジュール機能を有していなくてもよい。
【０２０１】
また、上記実施の形態において説明された端末装置及び照明制御装置の動作における複数の処理の順序は一例である。複数の処理の順序は、変更されてもよいし、複数の処理は、並行して実行されてもよい。
【０２０２】
また、上記実施の形態では、１つのスイッチ（例えばスイッチ４０ａ）には、１つのグループが割り当てられている例について説明したが、これに限定されない。１つのスイッチに複数のグループが割り当てられていてもよい。例えば、スイッチを１回操作するとグループ１の照明器具の点灯状態を制御し、さらにスイッチを１回操作するとグループ１とは異なるグループ２の照明器具の点灯状態を制御してもよい。なお、グループ１及びグループ２の照明器具の点灯状態は、同じであってもよいし、異なっていてもよい。
【０２０３】
その他、各実施の形態に対して当業者が思いつく各種変形を施して得られる形態、または、本発明の主旨を逸脱しない範囲で各実施の形態における構成要素及び機能を任意に組み合わせることで実現される形態も本発明に含まれる。
【符号の説明】
【０２０４】
１０、１１０    照明システム
２０、１２０    照明制御装置
２１、１２１    検知部
２２、１２２    制御部
３０、３０ａ、３０ｂ、３０ｃ、３０ｄ、１３０    照明器具
４０    スイッチ部（遠隔操作部）
４０ａ、４０ｂ、４０ｃ、４０ｄ    スイッチ
４１    第１表示灯（点灯部）
４２    第２表示灯（点灯部）
５０    端末装置
１２７    表示部
Ｇ    操作画像
Ｃ１    照明器具情報
Ｃ２    タグ情報
Ｃ３    モード情報
【図１】
2018166095.tif 000003
【図２】
2018166095.tif 000004
【図３】
2018166095.tif 000005
【図４】
2018166095.tif 000006
【図５】
2018166095.tif 000007
【図６Ａ】
2018166095.tif 000008
【図６Ｂ】
2018166095.tif 000009
【図７Ａ】
2018166095.tif 000010
【図７Ｂ】
2018166095.tif 000011
【図８】
2018166095.tif 000012
【図９】
2018166095.tif 000013
【図１０】
2018166095.tif 000014
【図１１】
2018166095.tif 000015
【図１２Ａ】
2018166095.tif 000016
【図１２Ｂ】
2018166095.tif 000017
【図１２Ｃ】
2018166095.tif 000018
【図１３】
2018166095.tif 000019
【図１４】
2018166095.tif 000020